(57)【特許請求の範囲】
【請求項１】
ワイヤレス通信のための装置であって、
ワイヤレス通信デバイスがウェイクアップする第１の時間を示すターゲット・ウェイクアップ時間情報要素を備えるメッセージを生成すること、前記メッセージは、前記装置からページングフレームを受信することに応答して前記ワイヤレス通信デバイスによって実行されるべきアクションを定義するフィールドをさらに含み、前記ワイヤレス通信デバイスがウェイクアップする前記第１の時間は、前記ページングフレームが送信される時間を示す、と、
前記ページングフレームを生成することと
を行うように構成されたプロセッサと、
前記ワイヤレス通信デバイスに前記メッセージを送信することと、
前記示された時間に基づいて前記ワイヤレス通信デバイスに前記ページングフレームをその後送信することと
を行うように構成された送信機と
を備える、装置。
【請求項２】
前記ページングフレームが、前記ページングフレームのアドレスを含む、請求項１に記載の装置。
【請求項３】
前記ページングフレームは、前記装置がアクセスポイントであるかどうかを示す値を有する方向フィールドを備える、請求項１に記載の装置。
【請求項４】
前記ページングフレームが、ヌルデータパケットを備える、請求項１に記載の装置。
【請求項５】
前記アクションが、
電力節約ポールフレームを送ることと、
パケット受信を待機することと、
ビーコンを受信することと、
配信トラフィック指示メッセージビーコンを受信することと
のうちの１つまたは複数を含む、請求項１に記載の装置。
【請求項６】
前記メッセージは、前記ワイヤレス通信デバイスがその間アウェイクすることになる前記示された時間を含む時間期間を示し、前記ページングフレームは、前記装置が前記示された時間期間中に前記ワイヤレス通信デバイスに送信するように構成された最初のフレームである、請求項１に記載の装置。
【請求項７】
前記メッセージは、前記ワイヤレス通信デバイスがその間アウェイクすることになる前記示された時間を含む時間期間を示し、前記装置は、前記示された時間期間中に前記ワイヤレス通信デバイスに前記ページングフレーム以外のいかなるフレームも送信することを止めるようにさらに構成される、請求項１に記載の装置。
【請求項８】
前記送信機は、前記ワイヤレス通信デバイスがウェイクアップする前記第１の時間とは異なる第３の時間において前記メッセージを送信するようにさらに構成される、請求項１に記載の装置。
【請求項９】
ワイヤレス通信のための方法であって、前記方法は、装置が実行し、前記方法は、
ワイヤレス通信デバイスがウェイクアップする第１の時間を示すターゲット・ウェイクアップ時間情報要素を備えるメッセージを生成すること、前記メッセージは、前記装置からページングフレームを受信することに応答して前記ワイヤレス通信デバイスによって実行されるべきアクションを定義するフィールドをさらに含み、前記ワイヤレス通信デバイスがウェイクアップする前記第１の時間は、前記ページングフレームが送信される時間を示す、と、
前記装置から前記ワイヤレス通信デバイスに前記メッセージを送信することと、
前記ページングフレームを生成することと、
前記示された時間に基づいて前記ワイヤレス通信デバイスに前記ページングフレームをその後送信することと
を備える、方法。
【請求項１０】
前記ページングフレームが、前記ページングフレームのアドレスを含む、請求項９に記載の方法。
【請求項１１】
前記ページングフレームは、前記装置がアクセスポイントであるかどうかを示す値を有する方向フィールドを備える、請求項９に記載の方法。
【請求項１２】
前記ページングフレームが、ヌルデータパケットを備える、請求項９に記載の方法。
【請求項１３】
前記アクションが、
電力節約ポールフレームを送ることと、
パケット受信を待機することと、
ビーコンを受信することと、
配信トラフィック指示メッセージビーコンを受信することと
のうちの１つまたは複数を含む、請求項９に記載の方法。
【請求項１４】
前記メッセージは、前記ワイヤレス通信デバイスがその間アウェイクすることになる前記示された時間を含む時間期間を示し、前記ページングフレームは、前記示された時間期間中に前記ワイヤレス通信デバイスに送信される最初のフレームである、請求項９に記載の方法。
【請求項１５】
前記メッセージは、前記ワイヤレス通信デバイスがその間アウェイクすることになる前記示された時間を含む時間期間を示し、前記ページングフレームは、前記示された時間期間中に前記ワイヤレス通信デバイスに前記装置から送信された唯一のフレームである、請求項９に記載の方法。
【請求項１６】
前記ワイヤレス通信デバイスがウェイクアップする前記第１の時間とは異なる第３の時間において前記メッセージを送信することをさらに備える、請求項９に記載の方法。
【請求項１７】
ワイヤレス通信のための装置であって、
ワイヤレス通信デバイスがウェイクアップする第１の時間を示すターゲット・ウェイクアップ時間情報要素を備えるメッセージを生成すること、前記メッセージは、前記装置からページングフレームを受信することに応答して前記ワイヤレス通信デバイスのアクションを定義するフィールドをさらに含み、前記ワイヤレス通信デバイスがウェイクアップする前記第１の時間は、前記ページングフレームが送信される時間を示す、と、
前記ページングフレームを生成することと
を行うように構成された、生成するための手段と、
前記ワイヤレス通信デバイスに前記メッセージを送信することと、
前記示された時間に基づいて前記ワイヤレス通信デバイスに前記ページングフレームをその後送信することと
を行うように構成された、送信するための手段と
を備える、装置。
【請求項１８】
前記ページングフレームが、前記ページングフレームのアドレスを含む、請求項１７に記載の装置。
【請求項１９】
前記ページングフレームが、前記装置がアクセスポイントであるかどうかを示す値を有する方向フィールドを備える、請求項１７に記載の装置。
【請求項２０】
前記ページングフレームが、ヌルデータパケットを備える、請求項１７に記載の装置。
【請求項２１】
前記アクションが、
電力節約ポールフレームを送ることと、
パケット受信を待機することと、
ビーコンを受信することと、
配信トラフィック指示メッセージビーコンを受信することと
のうちの１つまたは複数を含む、請求項１７に記載の装置。
【請求項２２】
前記メッセージは、前記ワイヤレス通信デバイスがその間アウェイクすることになる前記示された時間を含む時間期間を示し、前記ページングフレームは、前記送信するための手段が前記示された時間期間中に前記ワイヤレス通信デバイスに送信するように構成される最初のフレームである、請求項１７に記載の装置。
【請求項２３】
前記メッセージは、前記ワイヤレス通信デバイスがその間アウェイクすることになる前記示された時間を含む時間期間を示し、前記送信するための手段は、前記示された時間期間中に前記ワイヤレス通信デバイスに前記ページングフレーム以外のいかなるフレームも送信することを止めるようにさらに構成される、請求項１７に記載の装置。
【請求項２４】
前記送信するための手段は、前記ワイヤレス通信デバイスがウェイクアップする前記第１の時間とは異なる第３の時間において前記メッセージを送信するようにさらに構成される、請求項１７に記載の装置。
【請求項２５】
ワイヤレス通信のためのシステムであって、
ワイヤレス通信のための第２の装置がウェイクアップする第１の時間を示すターゲット・ウェイクアップ時間情報要素を備えるメッセージを生成すること、前記メッセージは、第１の装置からページングフレームを受信することに応答して前記第２の装置によって実行されるべきアクションを定義するフィールドをさらに含み、ワイヤレス通信のための前記第２の装置がウェイクアップする前記第１の時間は、前記ページングフレームが送信される時間を示す、と、
前記ページングフレームを生成することと
を行うように構成された第１のプロセッサと、
ワイヤレス通信のための前記第２の装置に前記メッセージを送信することと、
前記示された時間に基づいてワイヤレス通信のための前記第２の装置に前記ページングフレームをその後送信することと
を行うように構成された送信機と
を備えるワイヤレス通信のための前記第１の装置と、
ワイヤレス通信のための前記第１の装置から前記メッセージをワイヤレスで受信することと、
ワイヤレス通信のための前記第１の装置から前記ページングフレームをその後受信することと、
を行うように構成された受信機と、
前記ページングフレームを受信することに応答して前記アクションを実行するように構成された第２のプロセッサと
を備えるワイヤレス通信のための第２の装置と
を備える、システム。
【請求項２６】
前記ページングフレームが、前記ページングフレームのアドレスを含み、前記ページングフレームを受信することが、前記ページングフレームの前記アドレスをワイヤレス通信のための前記第２の装置のアドレスと比較することを備える、請求項２５に記載のシステム。
【請求項２７】
前記ページングフレームが、ワイヤレス通信のための前記第１の装置がアクセスポイントであるかどうかを示す値を有する方向フィールドを備える、請求項２５に記載のシステム。
【請求項２８】
前記ページングフレームが、ヌルデータパケットを備える、請求項２５に記載のシステム。
【請求項２９】
前記アクションが、
電力節約ポールフレームを送ることと、
パケット受信を待機することと、
ビーコンを受信することと、
配信トラフィック指示メッセージビーコンを受信することと
のうちの１つまたは複数を含む、請求項２５に記載のシステム。
【請求項３０】
前記メッセージは、ワイヤレス通信のための前記第２の装置がその間アウェイクすることになる前記示された時間を含む時間期間を示し、前記ページングフレームは、ワイヤレス通信のための前記第１の装置が前記示された時間期間中にワイヤレス通信のための前記第２の装置に送信するように構成される最初のフレームである、請求項２５に記載のシステム。
【請求項３１】
前記メッセージは、ワイヤレス通信のための前記第２の装置がその間アウェイクすることになる前記示された時間を含む時間期間を示し、ワイヤレス通信のための前記第１の装置は、前記示された時間期間中にワイヤレス通信のための前記第２の装置に前記ページングフレーム以外のいかなるフレームも送信することを止めるようにさらに構成される、請求項２５に記載のシステム。
【請求項３２】
前記ワイヤレス通信のための前記第２の装置は、前記ページングフレームを受信した後で、スリープになり、前記アクションを実行するためにその後ウェイクアップするようにさらに構成される、請求項２５に記載のシステム。
【請求項３３】
前記送信機は、ワイヤレス通信のための前記第２の装置がウェイクアップする前記第１の時間とは異なる第３の時間において前記メッセージを送信するようにをさらに構成される、請求項２５に記載のシステム。
【発明の詳細な説明】
【技術分野】
【０００１】
関連出願の相互参照
[0001]本出願は、２０１３年１月３１日に出願された「ＳＹＳＴＥＭＳ  ＡＮＤ  ＭＥＴＨＯＤＳ  ＦＯＲ  ＬＯＷ  ＰＯＷＥＲ  ＷＡＫＥ  ＵＰ  ＳＩＧＮＡＬ  ＡＮＤ  ＯＰＥＲＡＴＩＯＮＳ  ＦＯＲ  ＷＬＡＮ」と題する米国仮出願第６１／７５９３５０号の優先権を主張する。上記の出願は、参照によりその全体が本明細書に組み込まれる。
【０００２】
[0002]本出願は、一般に無線通信に関し、さらに詳細には、無線通信を可能にする方法および装置に関する。本明細書の特定の態様は、ＷＬＡＮ用の低電力ウェイクアップ信号（low power wake up signals）および動作に関する。
【背景技術】
【０００３】
[0003]多くの電気通信システムでは、通信ネットワークが、いくつかの相互作用する空間的に離間したデバイス間でメッセージを交換するために使用される。ネットワークは、たとえば大都市領域、ローカル領域または個人領域とすることもある地理学的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークは、様々なネットワークノードおよびデバイスを相互接続するために使用されるスイッチング／ルーティング技法によっても異なり（たとえば回路交換 対 パケット交換）、送信に利用される物理媒体のタイプによっても異なり（たとえば無線 対 有線）、使用される通信プロトコルのセットによっても異なる（たとえばインターネットプロトコル群、ＳＯＮＥＴ（たとえば同期型光ネットワーキング（Synchronous Optical Networking））、イーサネット（登録商標）など）。
【０００４】
[0004]無線ネットワークは、ネットワーク要素がモバイルであり、したがって動的接続性の必要があるとき、またはネットワークアークテクチャが固定トポロジでなくアドホックトポロジで形成されている場合に、好ましいことが多い。無線ネットワークは、無線周波数帯域、マイクロ波周波数帯域、赤外線周波数帯域、光周波数帯域などにおける電磁波を用いる無誘導伝搬モードで無形の物理媒体を利用する。無線ネットワークは、固定型無線ネットワークと比較して、ユーザの可動性および迅速なフィールド配置（field deployment）を有利に促進する。
【０００５】
[0005]無線ネットワーク内のデバイスは、互いの間で情報を送信／受信し得る。情報は、いくつかの態様ではデータユニットと呼ばれることもあるパケットを備え得る。パケットは、ネットワークを通してパケットをルーティングすること、パケット内のデータを識別すること、たとえばパケットのペイロード内で搬送されることもあるユーザデータやマルチメディアコンテンツなどのデータおよびパケットなどを処理すること、を助けるオーバヘッド情報（たとえばヘッダ情報、パケットプロパティなど）を含み得る。
【発明の概要】
【０００６】
[0006]本発明の方法および装置は各々、いくつかの態様を有し、それらは１つとして単独でそれの望ましい属性を担うものではない。ここで、後記の特許請求の範囲によって表される本発明の範囲を限定することなく、いくつかの特徴について簡単に説明する。この説明を考察すれば、特に「詳細な説明」と題するセクションを読めば、本発明の特徴が、低電力および長距離ワイヤレス通信のためのサブギガヘルツ帯域中でのワイヤレス通信を提供することを含む利点をどのように提供するかが理解されよう。
【０００７】
[0007]本開示の一態様は、ワイヤレス通信のための装置を提供する。この装置は、装置がウェイクアップする（wake up）時間、およびワイヤレス通信デバイスからページングフレームを受信することに応答してアクションを実行するための命令を備えるメッセージをワイヤレスに受信するように構成された受信機を含む。この受信機は、ワイヤレス通信デバイスからページングフレームを受信するようにさらに構成される。この装置は、ページングフレームを受信することに応答してアクションを実行するように構成されたプロセッサをさらに備える。
【０００８】
[0008]本開示の別の態様は、ワイヤレス通信の方法を提供する。この方法は、装置がウェイクアップする時間、およびワイヤレス通信デバイスからページングフレームを受信することに応答してアクションを実行するための命令を備えるメッセージをワイヤレスに受信することを含む。この方法は、ワイヤレス通信デバイスからページングフレームを受信することをさらに備える。この方法は、ページングフレームを受信することに応答してアクションを実行することをさらに備える。
【０００９】
[0009]本開示のさらに別の態様は、ワイヤレス通信のための装置を提供する。この装置は、装置がウェイクアップする時間、およびワイヤレス通信デバイスからページングフレームを受信することに応答してアクションを実行するための命令を備えるメッセージをワイヤレスに受信するための手段を含む。この装置は、ワイヤレス通信デバイスからページングフレームを受信するための手段をさらに備える。この装置は、ページングフレームを受信することに応答してアクションを実行するための手段をさらに備える。
【図面の簡単な説明】
【００１０】
【図１】[0010]本開示の態様が利用され得るワイヤレス通信システムの一例を示す図。
【図２】[0011]本発明の例示的な実施形態による、図１のワイヤレス通信システム内で利用され得る例示的なワイヤレスデバイスの機能ブロック図。
【図３】[0012]本発明の例示的な実施形態による、図２のワイヤレスデバイスにおいてワイヤレス通信を送信するために利用され得る例示的な構成要素の機能ブロック図。
【図４】[0013]本発明の例示的な実施形態による、図２のワイヤレスデバイスにおいてワイヤレス通信を受信するために利用され得る例示的な構成要素の機能ブロック図。
【図５Ａ】[0014]本発明の例示的な実施形態による、例示的な低電力ウェイクアップ信号を示す図。
【図５Ｂ】[0015]本発明の例示的な実施形態による、別の例示的な低電力ウェイクアップ信号を示す図。
【図６Ａ】[0016]本発明の例示的な実施形態による、低電力ウェイクアップ信号を送信する例示的な信号送信を示す図。
【図６Ｂ】本発明の例示的な実施形態による、低電力ウェイクアップ信号を送信する例示的な信号送信を示す図。
【図６Ｃ】本発明の例示的な実施形態による、低電力ウェイクアップ信号を送信する例示的な信号送信を示す図。
【図６Ｄ】本発明の例示的な実施形態による、低電力ウェイクアップ信号を送信する例示的な信号送信を示す図。
【図７Ａ】[0017]本発明の例示的な実施形態による、低電力ウェイクアップ信号を送信する追加の例示的な信号送信を示す図。
【図７Ｂ】本発明の例示的な実施形態による、低電力ウェイクアップ信号を送信する追加の例示的な信号送信を示す図。
【図８】[0018]本発明の例示的な実施形態による、ワイヤレス通信の例示的な方法の流れ図。
【図９】[0019]本発明の例示的な実施形態による、ワイヤレス通信の別の例示的な方法の流れ図。
【図１０】[0020]図１のワイヤレス通信システム内で利用され得る別の例示的なワイヤレスデバイスの機能ブロック図。
【図１１】[0021]図１のワイヤレス通信システム内で利用され得る別の例示的なワイヤレスデバイスの機能ブロック図。
【図１２】[0022]本開示の態様による、ＮＤＰ（ヌルデータパケット（null data packet））ページングフレーム・フォーマットの一例を示す図。
【図１３Ａ】[0023]本発明の一実施形態によるＮＤＰページングフレーム・フォーマットの別の例を示す図。
【図１３Ｂ】[0024]本発明の一実施形態による図１３ＡのＡＰＤＩフィールドの例示的な構造を示す図。
【図１４Ａ】[0025]本発明の一実施形態によるＴＷＴ  ＮＤＰを決定するために使用される例示的なＴＷＴ情報要素の構造を示す図。
【図１４Ｂ】[0026]本発明の一実施形態による図１４Ａの例示的なＴＷＴグループ割当てフィールド１６４２の構造を示す図。
【図１４Ｃ】[0027]本発明の一実施形態による図１４Ａの例示的な制御フィールド１６２２の構造を示す図。
【図１４Ｄ】[0028]本発明の一実施形態による図１４ＡのＮＤＰページング（ＮＰ）フィールド１６７０の例示的なフォーマットを示す図。
【詳細な説明】
【００１１】
[0029]以下、新規のシステム、装置および方法の様々な形態について、添付の図面を参照してより完全に説明する。ただし、開示する教示は、多くの異なる形態で実施され得るものであり、本開示を通じて提示するいかなる具体的な構造または機能にも限定されないものと理解されたい。むしろ、これらの態様は、本開示が徹底的で完全なものとなり、本開示の範囲を当業者に完全に伝えるように与えるものである。本明細書の教示に基づいて、当業者なら、本開示の範囲が、本明細書に開示する新規のシステム、装置および方法の任意の態様を、それが独立して実施されるか、本発明の任意の他の態様と組み合わせられるかにかかわらずカバーするように意図されていることを理解すべきである。たとえば、本明細書に記載される態様のうちの任意数の態様を用いて、装置が実装され得、または方法が実施され得る。さらに、本発明の範囲は、本明細書に記載される本発明の様々な態様に加えて、またはそれら以外に、他の構造、機能または構造および機能を用いて実施される装置または方法をカバーするように意図されている。なお、本明細書に開示する任意の態様は、１つの請求項の１つまたは複数の要素によって実施され得ることを理解されたい。
【００１２】
[0030]本明細書では特定の態様について説明されるが、これらの態様の多くの変形および置換も、本開示の範囲内に含まれる。好ましい態様の一部の利益および利点について言及されるが、本開示の範囲は、特定の利益、使用または目的に限定されないものとする。むしろ、本開示の態様は、そのうちの一部が例示を目的として図面および以下の好ましい態様の説明に示される、様々なワイヤレス技術、システム構成、ネットワークおよび送信プロトコルに広範に適用可能であるものとして意図されている。この詳細な説明および図面は、限定的なものではなく、単に本発明の例示であり、本開示の範囲は、添付の特許請求の範囲およびその均等物によって定義される。
【００１３】
[0031]ワイヤレスネットワーク技術は、様々なタイプのワイヤレスローカルエリアネットワーク（ＷＬＡＮ）を含み得る。ＷＬＡＮは、広く使用されているネットワーキングプロトコルを利用して、付近のデバイスどうしを相互接続するために使用され得る。本明細書に記載される様々な態様は、ＷｉＦｉ（登録商標）、またはより一般的にはＩＥＥＥ８０２．１１ファミリのワイヤレスプロトコルの任意のメンバなど、任意の通信標準に適用し得る。たとえば、本明細書に記載される様々な態様は、１ＧＨｚ以下の帯域（sub-1GHz bands）を使用し得るＩＥＥＥ８０２．１１ａｈプロトコルと相互運用し得る、またはその一部として使用され得る。ただし、本明細書に記載される実施形態では、幅広い種類の他の帯域およびワイヤレスプロトコルを企図していることを理解されたい。
【００１４】
[0032]いくつかの態様では、ギガヘルツ以下の帯域（a sub-gigahertz band）のワイヤレス信号が、直交周波数分割多重化（ＯＦＤＭ）、直接シーケンス拡散スペクトル（ＤＳＳＳ）通信、ＯＦＤＭ通信とＤＳＳＳ通信の組合せ、または他の方式を用いて、８０２．１１に従って送信され得る。本明細書に記載される実施態様は、センサ、計測、およびスマートグリッドネットワークに使用され得る。特定の実施形態の態様は、他のワイヤレスプロトコルを実施するデバイスより少ない電力を消費し得る、および／またはたとえば約１キロメートル以上など比較的長距離にわたってワイヤレス信号を送信するために使用され得る、ワイヤレスデバイスを有利に含み得る。これらのデバイスは、エネルギー蓄積デバイス（energy storage devices）から供給される電力で動作するように構成され得、また長期間（たとえば数ヶ月または数年）にわたってエネルギー蓄積デバイスを交換しなくても動作するように構成され得る。
【００１５】
[0033]本明細書に記載されるデバイスのうち特定のものは、多入力多出力（ＭＩＭＯ）技術をさらに実施することができる。ＭＩＭＯシステムは、データ送信のために、複数（ＮT）の送信アンテナおよび複数（ＮR）の受信アンテナを利用する。ＮT個の送信アンテナおよびＮR個の受信アンテナで形成されるＭＩＭＯチャネルは、空間チャネルまたはストリームとも呼ばれるＮS個の独立チャネルに分解することができ、ここで、ＮS≦ｍｉｎ｛Ｎr、ＮR｝である。ＮS個の独立チャネルの各々は、１つの次元に対応する。ＭＩＭＯシステムは、複数の送信アンテナおよび受信アンテナによって生じる追加の次元が利用される場合には、性能を向上させることができる（たとえばより高いスループットおよび／またはより高い信頼性）。
【００１６】
[0034]いくつかの実施態様では、ＷＬＡＮは、このワイヤレスネットワークにアクセスする構成要素である様々なデバイスを含む。たとえば、２つのタイプのデバイス、アクセスポイント（「ＡＰ」）と、クライアント（局または「ＳＴＡ」とも呼ばれる）がある。一般に、ＡＰは、ＷＬＡＮのハブまたは基地局として機能し、ＳＴＡは、ＷＬＡＮのユーザとして機能する。たとえば、ＳＴＡは、ラップトップコンピュータ、個人携帯情報端末（ＰＤＡ）、モバイル電話などであり得る。一例では、ＳＴＡは、ＷｉＦｉ（たとえばＩＥＥＥ８０２．１１プロトコル）準拠ワイヤレスリンクを介してＡＰに接続して、インターネットまたは他の広域ネットワークへの一般接続性を得る。いくつかの実施態様では、ＳＴＡは、ＡＰとしても使用され得る。
【００１７】
[0035]アクセスポイント（「ＡＰ」）は、ノードＢ、無線ネットワーク制御装置（「ＲＮＣ」）、ｅノードＢ、基地局制御装置（「ＢＳＣ」）、トランシーバ基地局（「ＢＴＳ」）、基地局（「ＢＳ」）、トランシーバ機能（「ＴＦ」）、無線ルータ、無線トランシーバまたは他の用語を備え、それらとして実装され、あるいはそれらとして知られ得る。
【００１８】
[0036]局「ＳＴＡ」は、アクセス端末（「ＡＴ」）、加入者局、加入者ユニット、移動局、遠隔局、遠隔端末、ユーザ端末、ユーザエージェント、ユーザデバイス、ユーザ機器または他の用語を備え、それらとして実装され、あるいはそれらとして知られ得る。いくつかの実施態様では、アクセス端末は、携帯電話、コードレス電話、セッション開始プロトコル（「ＳＩＰ」）電話、ワイヤレスローカルループ（「ＷＬＬ」）局、個人携帯情報端末（「ＰＤＡ」）、ワイヤレス接続機能を有するハンドヘルド・デバイス、またはワイヤレスモデムに接続された他の適当な処理デバイスを備え得る。したがって、本明細書に教示する１つまたは複数の態様は、電話（たとえば携帯電話またはスマートフォン）、コンピュータ（たとえばラップトップ）、ポータブル通信デバイス、ヘッドセット、ポータブルコンピューティングデバイス（たとえば個人携帯情報端末）、エンターテインメントデバイス（たとえば音楽またはビデオデバイス、あるいは衛星ラジオ）、ゲームデバイスまたはシステム、全地球測位システムデバイス、あるいはワイヤレス媒体を介して通信するように構成された任意の他の適当なデバイスに組み込まれ得る。
【００１９】
[0037]本明細書に記載されるデバイスは、ＳＴＡとして使用されるか、ＡＰとして使用されるか、あるいは他のデバイスとして使用されるかにかかわらず、スマート計測（smart metering）に、またはスマートグリッドネットワークで使用され得る。そのようなデバイスは、センサへの応用を実現し得る、またはホームオートメーションで使用され得る。その代わりに、またはそれに加えて、これらのデバイスは、たとえば個人健康管理（personal healthcare）など健康管理の状況（a healthcare context）でも使用され得る。これらのデバイスは、拡張された範囲のインターネット接続性を可能にするために（たとえばホットスポットで使用するために）、または機械間通信を実施するために、監視（surveillance）にも使用され得る。
【００２０】
[0038]図１は、本開示の態様が利用され得るワイヤレス通信システム１００の一例を示す。ワイヤレス通信システム１００は、たとえば８０２．１１標準などのワイヤレス標準に準拠して動作し得る。ワイヤレス通信システム１００は、ＳＴＡ１０６ａ、１０６ｂ、１０６ｃ、１０６ｄおよび１０６ｅ（ＳＴＡ１０６と総称する）と通信するＡＰ１０４を含み得る。
【００２１】
[0039]ＳＴＡ１０６ｅは、ＡＰ１０４と通信することが困難であり得、または範囲外にあってＡＰ１０４と通信することができないこともあり得る。したがって、別のＳＴＡ１０６ｄは、ＳＴＡ１０６ｅとＡＰ１０４との間の通信を中継する中継器１１２として構成され得る。
【００２２】
[0040]ワイヤレス通信システム１００におけるＡＰ１０４とＳＴＡ１０６との間の送信には、様々なプロセスおよび方法が使用され得る。たとえば、信号は、ＯＦＤＭ／ＯＦＤＭＡ技法に従って、ＡＰ１０４とＳＴＡ１０６との間で送られ、受信され得る。その場合には、ワイヤレス通信システム１００は、ＯＦＤＭ／ＯＦＤＭＡシステムと呼ばれることもある。あるいは、信号は、ＣＤＭＡ技法に従って、ＡＰ１０４とＳＴＡ１０６との間で送られ、受信され得る。その場合には、ワイヤレス通信システム１００は、ＣＤＭＡシステムと呼ばれることもある。
【００２３】
[0041]ＡＰ１０４から複数のＳＴＡ１０６のうちの１つまたは複数への送信を容易にする通信リンクは、ダウンリンク（ＤＬ）１０８とも呼ばれることがあり、複数のＳＴＡ１０６のうちの１つまたは複数からＡＰ１０４への送信を容易にする通信リンクは、アップリンク（ＵＬ）１１０と呼ばれることもある。あるいは、ダウンリンク１０８は、順方向リンクまたは順方向チャネルと呼ばれることもあり、アップリンク１１０は、逆方向リンクまたは逆方向チャネルと呼ばれることもある。
【００２４】
[0042]ＡＰ１０４は、基地局として作動し、基本サービスエリア（ＢＳＡ）１０２内のワイヤレス通信カバレッジを提供し得る。ＡＰ１０４と、そのＡＰ１０４と関連付けられ、そのＡＰ１０４を通信に使用するＳＴＡ１０６とは、基本サービスセット（ＢＳＳ）と呼ばれることもある。なお、ワイヤレス通信システム１００は、中央のＡＰ１０４を有さないこともあり、複数のＳＴＡ１０６間のピアツーピアネットワークとして機能し得ることに留意されたい。したがって、本明細書に記載されるＡＰ１０４の機能は、別法として、複数のＳＴＡ１０６のうちの１つまたは複数によって実行され得る。
【００２５】
[0043]図２は、ワイヤレス通信システム１００内で用いられ得るワイヤレスデバイス２０２で利用され得る様々な構成要素を示す図である。ワイヤレスデバイス２０２は、本明細書に記載される様々な方法を実施するように構成され得るデバイスの一例である。たとえば、ワイヤレスデバイス２０２は、図１のＡＰ１０４、または複数のＳＴＡ１０６のうちの１つを構成し得る。
【００２６】
[0044]ワイヤレスデバイス２０２は、ワイヤレスデバイス２０２の動作を制御するプロセッサ２０４を含み得る。プロセッサ２０４は、中央処理装置（ＣＰＵ）と呼ばれることもある。読取り専用メモリ（ＲＯＭ）とランダムアクセスメモリ（ＲＡＭ）の両方を含み得るメモリ２０６は、プロセッサ２０４に命令およびデータを提供する。メモリ２０６の一部分は、不揮発性ランダムアクセスメモリ（ＮＶＲＡＭ）も含み得る。プロセッサ２０４は、通常は、メモリ２０６内に記憶されたプログラム命令に基づいて、論理演算および算術演算を実行する。メモリ２０６中の命令は、本明細書に記載される方法を実施するように実行可能であり得る。
【００２７】
[0045]ワイヤレスデバイス２０２が送信ノードとして実装または使用されるとき、プロセッサ２０４は、複数のメディアアクセス制御（ＭＡＣ）ヘッダタイプのうちの１つを選択することと、そのＭＡＣヘッダタイプを有するパケットを生成することとを行うように構成され得る。たとえば、プロセッサ２０４は、以下でさらに詳細に説明されるように、ＭＡＣヘッダとペイロードとを備えるパケットを生成し、どのようなタイプのＭＡＣヘッダを使用するかを判定するように構成され得る。
【００２８】
[0046]ワイヤレスデバイス２０２が受信ノードとして実装または使用されるとき、プロセッサ２０４は、複数の異なるＭＡＣヘッダタイプのパケットを処理するように構成され得る。たとえば、プロセッサ２０４は、以下でさらに論じられるように、パケット中で使用されるＭＡＣヘッダのタイプを判定し、それに応じてパケットおよび／またはＭＡＣヘッダのフィールドを処理するように構成され得る。
【００２９】
[0047]プロセッサ２０４は、１つまたは複数のプロセッサで実装される処理システムの構成要素を備える、あるいはその構成要素であり得る。この１つまたは複数のプロセッサは、汎用マイクロプロセッサ、マイクロ制御装置、デジタル信号プロセッサ（ＤＳＰ）、フィールドプログラマブルゲートアレイ（ＦＰＧＡ）、プログラマブル論理デバイス（ＰＬＤ）、制御装置、状態機械、ゲート型論理、離散ハードウェア構成要素、専用ハードウェア有限状態機械、または情報の計算または他の操作を実行することができる任意の他の適当なエンティティの任意の組合せで実装され得る。
【００３０】
[0048]処理システムは、ソフトウェアを記憶するための機械可読媒体も含み得る。ソフトウェアは、ソフトウェア、ファームウェア、ミドルウェア、マイクロコード、ハードウェア記述言語、または他のいずれと呼称されるかにかかわらず、任意のタイプの命令を意味するものとして広範に解釈されるものとする。命令は、（たとえばソースコードフォーマット、バイナリコードフォーマット、実行可能コードフォーマット、または任意の他の適当なコードフォーマット内の）コードを含み得る。命令は、１つまたは複数のプロセッサによって実行されたときに、処理システムに、本明細書に記載される様々な機能を実行させる。
【００３１】
[0049]ワイヤレスデバイス２０２は、ワイヤレスデバイス２０２と遠隔ロケーションとの間のデータの送信および受信を可能にする送信機２１０と受信機２１２とを含み得るハウジング（a housing）２０８も含み得る。送信機２１０および受信機２１２は、トランシーバ２１４に組み合わせられ得る。アンテナ２１６は、ハウジング２０８に取り付けられ、トランシーバ２１４に電気的に結合され得る。ワイヤレスデバイス２０２は、複数の送信機、複数の受信機、複数のトランシーバ、および／または複数のアンテナも含み得る（図示せず）。
【００３２】
[0050]送信機２１０は、様々なＭＡＣヘッダタイプを有するパケットをワイヤレス送信するように構成され得る。たとえば、送信機２１０は、上述のプロセッサ２０４によって生成された様々なタイプのヘッダを有するパケットを送信するように構成され得る。
【００３３】
[0051]受信機２１２は、様々なＭＡＣヘッダタイプを有するパケットをワイヤレス受信するように構成され得る。いくつかの態様では、受信機２１２は、以下でさらに詳細に述べるように、使用されているＭＡＣヘッダのタイプを検出して、それに応じてパケットを処理するように構成される。
【００３４】
[0052]ワイヤレスデバイス２０２は、トランシーバ２１４が受信する信号のレベルを検出して数量化（quantify）しようとする際に使用され得る信号検出器２１８も含み得る。信号検出器２１８は、総エネルギー、シンボルあたりサブキャリアあたりのエネルギー、パワースペクトル密度および他の信号などの信号を検出し得る。ワイヤレスデバイス２０２は、信号の処理に使用されるデジタル信号プロセッサ（ＤＳＰ）２２０も含み得る。ＤＳＰ２２０は、送信するためのデータユニットを生成するように構成され得る。いくつかの態様では、このデータユニットは、物理レイヤデータユニット（ＰＰＤＵ）を含み得る。いくつかの態様では、ＰＰＤＵは、パケットと呼ばれる。
【００３５】
[0053]ワイヤレスデバイス２０２は、第２の低電力受信機２２８を備えるウェイクアップ回路２３０をさらに備え得る。一態様では、低電力受信機２２８は、動作の間に受信機２１４によって通常消費される電力よりも少ない電力を消費するように構成され得る。たとえば、低電力受信機２２８は、トランシーバ２１４と比較すると、動作時に、およそ１０倍、２０倍、５０倍、または１００倍（またはそれ以上）少ない電力を消費するように構成され得る。一態様では、低電力受信機２２８は、ＯＦＤＭおよび他の同等の技法に基づいて信号を送信し受信するように構成され得るトランシーバ２１４と比較すると、オンオフキーイングまたは周波数シフトキーイング（ＦＳＫ）のような変調／復調技法を使用して信号を受信するように構成され得る。低電力受信機２２８を有するワイヤレスデバイス２０２であるＳＴＡ１０６は、本明細書では、低電力受信機ＳＴＡ１０６ｅとも呼ばれ得る。低電力受信機２２８を含まない可能性がある、または、トランシーバ２１４が作動するモードで動作している可能性がある他のＳＴＡは、本明細書ではＳＴＡ１０６と呼ばれ得る。
【００３６】
[0054]いくつかの態様では、ワイヤレスデバイス２０２はさらに、ユーザインターフェース２２２を備え得る。ユーザインターフェース２２２は、キーパッド、マイクロフォン、スピーカ、および／またはディスプレイを備え得る。ユーザインターフェース２２２は、ワイヤレスデバイス２０２のユーザに情報を搬送すること、および／またはそのユーザから入力を受信することを行う任意の要素または構成要素を含み得る。
【００３７】
[0055]ワイヤレスデバイス２０２の様々な構成要素は、バスシステム２２６によって互いに結合され得る。バスシステム２２６は、データバスを含み得、このデータバスに加えて、例えば、電力バス、制御信号バス、および状態信号バスも含み得る。当業者なら、ワイヤレスデバイス２０２の構成要素が互いに結合され得ること、あるいは何らかの他の機構を使用して互いの間で入力を受け入れ得る、または提供し得ることを理解するであろう。
【００３８】
[0056]図２にはいくつかの別個の構成要素が示されているが、これらの構成要素のうちの１つまたは複数は、組み合わされ得る、または共通に実装され得る。たとえば、プロセッサ２０４は、プロセッサ２０４に関して上述した機能を実施するためだけでなく、信号検出器２１８およびまたはＤＳＰ２２０に関連して上述した機能を実施するためにも、使用され得る。さらに、図２に示される構成要素の各々は、複数の別個の要素を用いて実装され得る。さらに、プロセッサ２０４は、以下で説明する構成要素、モジュール、回路などのいずれかを実装するために使用され得、または各々が複数の別個の要素を使用して実装され得る。
【００３９】
[0057]参照を容易にするために、ワイヤレスデバイス２０２が送信ノードとして構成されるときには、以下では、ワイヤレスデバイス２０２ｔと呼ばれる。同様に、ワイヤレスデバイス２０２が受信ノードとして構成されるときには、以下ではワイヤレスデバイス２０２ｒと呼ばれる。ワイヤレス通信システム１００内のデバイスは、送信ノードの機能のみ、受信ノードの機能のみ、または送信ノードと受信ノードの両方の機能を実施し得る。
【００４０】
[0058]上述のように、ワイヤレスデバイス２０２は、ＡＰ１０４、ＳＴＡ１０６、または低電力受信機ＳＴＡ１０６ｅを備え得る。図３は、ワイヤレス通信を送信するためにワイヤレスデバイス２０２ｔ中で利用され得る様々な構成要素を示す図である。図３に示す構成要素は、たとえばＯＦＤＭ通信を送信するために使用され得る。
【００４１】
[0059]図３のワイヤレスデバイス２０２ｔは、送信のためにビットを変調するように構成された変調器３０２を備え得る。たとえば、変調器３０２は、たとえばコンスタレーションに従ってビットを複数のシンボルにマッピングすることによって、プロセッサ２０４（図２）またはユーザインターフェース２２２（図２）から受信されたビットから複数のシンボルを判断し得る。これらのビットは、ユーザデータまたは制御情報に対応し得る。いくつかの態様では、これらのビットは、コードワードで受信される。一態様では、変調器３０２は、たとえば１６ＱＡＭ変調器または６４ＱＡＭ変調器などのＱＡＭ（直交振幅変調）変調器を備える。他の態様では、変調器３０２は、バイナリ位相シフトキーイング（ＢＰＳＫ）変調器または直交位相シフトキーイング（ＱＰＳＫ）変調器を備える。
【００４２】
[0060]ワイヤレスデバイス２０２ｔは、変調器３０２からのシンボルまたはさもなければ変調されたビットを時間領域に変換するように構成された変換モジュール３０４をさらに備え得る。図３では、変換モジュール３０４は、逆高速フーリエ変換（ＩＦＦＴ）モジュールによって実装されるものとして示されている。いくつかの実装形態では、異なるサイズのデータのユニットを変換する複数の変換モジュール（図示せず）が存在する場合がある。いくつかの実装形態では、変換モジュール３０４は、それ自体が、異なるサイズのデータのユニットを変換するように構成され得る。たとえば、変換モジュール３０４は、複数のモードで構成され得、各モードでシンボルを変換するために異なる数のポイントを使用し得る。たとえば、ＩＦＦＴは、３２個のトーン（すなわち、サブキャリア）上で送信されているシンボルを時間領域に変換するために３２ポイントが使用されるモードと、６４個のトーン上で送信されているシンボルを時間領域に変換するために６４ポイントが使用されるモードとを有し得る。変換モジュール３０４が使用するポイントの数は、変換モジュール３０４のサイズと呼ばれることもある。なお、変換モジュール３０４は、１２８ポイント、２５６ポイント、５１２ポイント、および１０２４ポイントが使用されるなどの追加のモードに従って動作するように構成され得ることを理解されたい。
【００４３】
[0061]図３では、変調器３０２および変換モジュール３０４は、ＤＳＰ３２０中に実装されるものとして示してある。しかし、いくつかの態様では、変調器３０２と変換モジュール３０４のうちの一方または両方は、プロセッサ２０４中に、またはワイヤレスデバイス２０２ｔの別の要素中に実装される（たとえば図２を参照した上記説明参照）。
【００４４】
[0062]上述のように、ＤＳＰ３２０は、送信するためのデータユニットを生成するように構成され得る。いくつかの態様では、変調器３０２および変換モジュール３０４は、制御情報および複数のデータシンボルを含む複数のフィールドを備えるデータユニットを生成するように構成され得る。
【００４５】
[0063]図３の説明に戻ると、ワイヤレスデバイス２０２５は、変換モジュールの出力をアナログ信号に変換するように構成されるデジタル／アナログ変換器３０６をさらに備え得る。たとえば、変換モジュール３０６の時間領域出力は、デジタル／アナログ変換器３０６によってベースバンドＯＦＤＭ信号に変換され得る。デジタル／アナログ変換器３０６は、プロセッサ２０４中でまたは図２のワイヤレスデバイス２０２の別の要素中で実装され得る。いくつかの態様では、デジタル／アナログ変換器３０６は、トランシーバ２１４（図２）中でまたはデータ送信プロセッサ中で実装される。
【００４６】
[0064]アナログ信号は、送信機３１０によってワイヤレス送信され得る。アナログ信号は、送信機３１０によって送信される前に、たとえばフィルタリングされる、あるいは中間周波数または搬送周波数にアップコンバートされることなどによって、さらに処理され得る。図３に示す態様では、送信機３１０は、送信増幅器３０８を含む。アナログ信号は、送信される前に、送信増幅器３０８によって増幅され得る。いくつかの態様では、増幅器３０８は、低雑音増幅器（ＬＮＡ）を備える。
【００４７】
[0065]送信機３１０は、アナログ信号に基づいてワイヤレス信号内の１つまたは複数のパケットまたはデータユニットを送信するように構成される。それらのデータユニットは、プロセッサ２０４（図２）および／またはＤＳＰ３２０を使用して、たとえば上記で説明したように変調器３０２および変換モジュール３０４を使用して、生成され得る。上記で説明したように生成され、送信され得るデータユニットについて、以下でさらに詳細に説明する。
【００４８】
[0066]図４は、図２のワイヤレスデバイス２０２中でワイヤレス通信を受信するために利用され得る様々な構成要素を示す図である。図４に示す構成要素は、たとえば、ＯＦＤＭ通信を受信するために使用され得る。いくつかの態様では、図４に示す構成要素は、１ＭＨｚ以下の帯域幅上でデータユニットを受信するために使用される。たとえば、図４に示す構成要素は、図３に関連して上述した構成要素によって送信されたデータユニットを受信するために使用され得る。
【００４９】
[0067]ワイヤレスデバイス２０２ｂの受信機４１２は、ワイヤレス信号中の１つまたは複数のパケットまたはデータユニットを受信するように構成される。データユニットは、以下で述べるように受信され、復号またはその他の方法で処理され得る。
【００５０】
[0068]図４に示す態様では、受信機４１２は、受信増幅器４０１を含む。受信増幅器４０１は、受信機４１２が受信したワイヤレス信号を増幅するように構成され得る。いくつかの態様では、受信機４１２は、自動利得制御（ＡＧＣ）手順を用いて受信増幅器４０１の利得を調節するように構成される。いくつかの態様では、自動利得制御は、たとえば受信したショートトレーニングフィールド（short training field）（ＳＴＦ）などの１つまたは複数の受信したトレーニングフィールド中の情報を使用して、利得を調節する。当業者なら、ＡＧＣを実行する方法を理解しているであろう。いくつかの態様では、増幅器４０１は、ＬＮＡを備える。
【００５１】
[0069]ワイヤレスデバイス２０２ｒは、受信機４１０からの増幅されたワイヤレス信号をそれのデジタル表現に変換するように構成されたアナログ／デジタル変換器４１０を備え得る。増幅されるのに加えて、ワイヤレス信号は、デジタル／アナログ変換器４１０によって変換される前に、たとえばフィルタリングされる、あるいは中間周波数またはベースバンド周波数にダウンコンバートされることなどによって処理され得る。アナログ／デジタル変換器４１０は、プロセッサ２０４（図２）中に、またはワイヤレスデバイス２０２ｒの別の要素中に実装され得る。いくつかの態様では、アナログ／デジタル変換器４１０は、トランシーバ２１４（図２）中でまたはデータ受信プロセッサ中で実装される。
【００５２】
[0070]ワイヤレスデバイス２０２ｒは、ワイヤレス信号の表現を周波数スペクトルに変換するように構成された変換モジュール４０４をさらに備え得る。図４では、変換モジュール４０４は、高速フーリエ変換（ＦＦＴ）モジュールによって実装されるものとして示されている。いくつかの態様では、変換モジュールは、それが使用するポイントごとにシンボルを識別することができる。図３を参照して上述したように、変換モジュール４０４は、複数のモードを有して構成され得、各モードで信号を変換するために異なる数のポイントを使用することができる。たとえば、変換モジュール４０４は、３２個のトーン上で受信される信号を周波数スペクトルに変換するために３２ポイントが使用されるモードと、６４個のトーン上で受信される信号を周波数スペクトルに変換するために６４ポイントが使用されるモードとを有し得る。変換モジュール４０４によって使用されるポイントの数は、変換モジュール４０４のサイズと呼ばれることがある。いくつかの態様では、変換モジュール４０４は、それが使用する各ポイントごとにシンボルを識別することができる。なお、変換モジュール４０４は、１２８ポイント、２５６ポイント、５１２ポイント、１０２４ポイントが使用されるなどの追加のモードに従って動作するように構成され得ることを理解されたい。
【００５３】
[0071]ワイヤレスデバイス２０２ｂは、データユニットがその上で受信されるチャネルの推定を形成し、このチャネル推定に基づいてチャネルの特定の影響（certain effects）を除去するように構成された、チャネル推定器および等化器４０５をさらに備え得る。たとえば、チャネル推定器４０５は、チャネルの関数（a function）を近似するように構成され得、チャネル等化器は、その関数の逆数（an inverse of that function）を周波数スペクトルにおけるデータに適用するように構成され得る。
【００５４】
[0072]ワイヤレスデバイス２０２ｔは、等化されたデータを復調するように構成された復調器４０６をさらに備え得る。たとえば、復調器４０６は、たとえばコンスタレーション中のシンボルへのビットのマッピングを逆転することにより、変換モジュール４０４ならびにチャネル推定器および等化器４０５によって出力されたシンボルから複数のビットを決定し得る。それらのビットは、プロセッサ２０４（図２）によって処理または評価され得るか、あるいはユーザインターフェース２２２（図２）に情報を表示するかまたはさもなければ出力するために、使用され得る。このようにして、データおよび／または情報は、復号され得る。いくつかの態様では、これらのビットは、コードワードに対応する。一態様では、復調器４０６は、ＱＡＭ（直交振幅変調）復調器、たとえば１６ＱＡＭ復調器または６４ＱＡＭ復調器を備える。他の態様では、復調器４０６は、バイナリ位相シフトキーイング（ＢＰＳＫ）復調器または直交位相シフトキーイング（ＱＰＳＫ）復調器を備える。
【００５５】
[0073]図４では、変換モジュール４０４と、チャネル推定器および等化器４０５と、復調器４０６とは、ＤＳＰ４２０中に実装されるものとして示してある。しかしながら、いくつかの態様では、変換モジュール４０４と、チャネル推定器および等化器４０５と、復調器４０６とのうちの１つまたは複数が、プロセッサ２０４（図２）中でまたはワイヤレスデバイス２０２（図２）の別の要素中で実装される。
【００５６】
[0074]上述のように、受信機２１２で受信されたワイヤレス信号は、１つまたは複数のデータユニットを備える。上述の機能または構成要素を用いて、データユニットまたはそれの中のデータシンボルは、復号され、評価され、あるいはその他の方法で評価または処理され得る。たとえば、プロセッサ２０４（図２）および／またはＤＳＰ４２０は、変換モジュール４０４と、チャネル推定器および等化器４０５と、復調器４０６とを使用して、データユニット中のデータシンボルを復号するために、使用され得る。
【００５７】
[0075]ＡＰ１０４とＳＴＡ１０６によって交換されるデータユニットは、上述のように、制御情報またはデータを含み得る。物理（ＰＨＹ）レイヤでは、これらのデータユニットは、物理レイヤプロトコルデータユニット（ＰＰＤＵ）と呼ばれることもある。いくつかの態様では、ＰＰＤＵは、パケットまたは物理レイヤパケットと呼ばれることもある。各ＰＰＤＵは、プリアンブルおよびペイロードを備え得る。プリアンブルは、トレーニングフィールドおよびＳＩＧフィールドを含み得る。ペイロードは、たとえば、他のレイヤのためのデータまたはメディアアクセス制御（ＭＡＣ）ヘッダおよび／あるいはユーザデータを備え得る。ペイロードは、１つまたは複数のデータシンボルを用いて送信され得る。本明細書のシステム、方法、およびデバイスは、それのピーク対電力比が最小に抑えられているトレーニングフィールドを有するデータユニットを利用し得る。
【００５８】
[0076]図３に示されたワイヤレスデバイス２０２ａは、アンテナを介して送信されるべき単一の送信チェーンの一例を示している。図４に示されたワイヤレスデバイス２０２ｂは、アンテナを介して受信されるべき単一の受信チェーンの一例を示している。いくつかの実装形態では、ワイヤレスデバイス２０２ａまたは２０２ｂは、データを同時に送信するために複数のアンテナを使用してＭＩＭＯシステムの一部分を実装し得る。
【００５９】
[0077]したがって、特定の実施態様は、異なる周波数レンジの様々な異なる帯域幅を用いてワイヤレス信号を送信することを対象とする。たとえば、例示的な一実装形態では、シンボルは、１ＭＨｚの帯域幅を使用して送信または受信されるように構成され得る。図２のワイヤレスデバイス２０２は、いくつかのモードのうちの１つで動作するように構成され得る。あるモードでは、ＯＦＤＭシンボルなどのシンボルが、１ＭＨｚの帯域幅を使用して送信または受信され得る。別のモードでは、シンボルが、２ＭＨｚの帯域幅を使用して送信または受信され得る。４ＭＨｚ、８ＭＨｚ、１６ＭＨｚなどの帯域幅を使用してシンボルを送信または受信するために追加のモードも与えられ得る。帯域幅はチャネル幅と呼ばれることもある。さらに、たとえば、２．４ＧＨｚ帯域または５ＧＨｚ帯域内の２０ＭＨｚ、４０ＭＨｚ、および８０ＭＨｚなどの帯域幅を使用するモードまたは構成など、追加のモードまたは構成も可能である。
【００６０】
[0078]ＳＴＡ１０６では、電力消費の重要な原因は、パケット受信中、および特に受信機がオンでありパケットの受信を待機している時間中のどちらかで、受信モードでＳＴＡ１０６によって費やされる長い時間に起因し得る。バッテリ動作式のＳＴＡでは、送信電力は、受信電力と同等であり得るが、受信時間は、送信時間よりはるかに長くなり得る。特にバッテリを用いて動作しているときには、電力消費を削減するために、ＳＴＡのアウェイク時間（awake time）を短縮することが望ましい。ＳＴＡ１０６のアウェイク時間を短縮する１つの方法は、特定の短い時間間隔を除く時間間隔の大部分にわたって、ＳＴＡ受信機２１２をターンオフする（turn off）ことである。この場合には、送信機２１０および受信機２１２は、送信機２１０および受信機２１２のオン／オフサイクルが協調される（coordinated）ように制御され得る。いくつかの場合には、これは、フレキシブルまたは効率的ではない可能性がある。たとえば、通常の適用分野では、トラフィックパターンが予測可能ではないこともある。さらに、合意されたアウェイク時間が、トラフィックパターンと一致せず、そのためにいくつかのアウェイク時間が無駄になることもあり得る。さらに、ＳＴＡ１０６がオフである時間にトラフィックが生じ（come）、ＳＴＡ１０６がウェイクアップするまでパケットを送達する（deliver）方法がないこともあり得る。
【００６１】
[0079]一実施形態では、上述の低電力受信機２２８は、低電力受信機ＳＴＡ１０６ｅ内に提供され得る。一態様では、低電力受信機ＳＴＡ１０６ｅは、ＡＰ１０４と通信し得る。この場合には、将来の通信パラメータおよびアクティビティを決定するために低電力受信機ＳＴＡ１０６ｅとＡＰ１０４との間で特定の情報が交換される、関連付け（an association）（たとえば登録）手順があり得る。別の態様では、低電力受信機ＳＴＡ１０６ｅは、互いに関連付けられていない他のＳＴＡとの間で通信を行い得る。
【００６２】
[0080]一態様では、低電力受信機２２８は、低電力受信機ＳＴＡ１０６ｅが動作している間、実質的に無制限にオンのまま留まり得る。別の態様では、低電力「ウェイクアップ」受信機２２８は、エネルギー消費をさらに削減するために、所与のスケジュールによって定義されるオン／オフデューティサイクルに従って動作し得る。たとえば、プロセッサ２０４または制御装置（図示せず）が、このスケジュールを調整し得る。さらに、プロセッサ２０４は、低電力受信機２２８がいつ様々な持続時間および時間期間（たとえば他のスリープ期間と比較してビジネス時間中などのアウェイク期間）にわたってウェイクアップ信号をリッスンするかを、その他の方法で制御するように構成され得る。
【００６３】
[0081]一実施形態によれば、スリープを最大限にするために、アナログおよびデジタルのトランシーバ２１４は、オフになる（たとえば電源切断される）ように構成され得る。電力供給される唯一の回路は、ＲＦウェイクアップ回路２３０である。ＲＦウェイクアップ回路２３０の低電力受信機２２８は、特定のＲＦ信号構造をリッスンし得る。検出されると、ＲＦウェイクアップ回路２３０は、トランシーバ２１４をターンオンする（turn on）、またはそうでなければ作動させる。いくつかの場合には、トランシーバ２１４およびモデムは、ウェイクアップするのに最長で１００〜２００μｓかかり得る（トランシーバ２１４は電力供給を受けたままであると仮定）。ウェイクアップ時間は、ＰＬＬ収束時間（PLL convergence time）、較正係数のローディング、および他のレジスタローディングの関数である。いくつかの場合には、トランシーバ２１４が完全に電源オフになっている場合には、ウェイクアップ時間は、最大で２ｍｓにもなり得る。したがって、一態様では、ウェイクアップパケットは、トランシーバ２１４がウェイクアップしてデータを受信し始める時間期間にわたってワイヤレス媒体をリザーブし、特別なＲＦ信号構造を含み得る。
【００６４】
[0082]いくつかの実施形態では、低電力受信機ＳＴＡ１０６ｅは、他のＳＴＡと関連付けされないことがある。たとえば、低電力受信機ＳＴＡ１０６ｅおよび他のＳＴＡは、ＡＰと関連付けられないこともあり、それらの互いの間の相互作用は、イベントおよび時間的近接性（temporary proximity）（たとえば非同期動作）に基づく。たとえば、建物の中で、バッテリ動作式の小型センサが、各部屋に配置される。各センサは、低電力受信機ＳＴＡ１０６ｅとして構成され得る。上述のように、ＳＴＡ１０６ｅのトランシーバ２１４は、電力を節約するために、通常はオフになっている。一例では、ＳＴＡ１０６として構成されたスマートフォンは、この建物の中に持ち込まれ、たとえばそれの位置を発見したり、コマンドを発行したりするために、センサＳＴＡ１０６ｅと相互に作用しようとする。スマートフォンＳＴＡ１０６は、低電力ウェイクアップ信号を発行する。近隣のセンサＳＴＡ１０６ｅは、ウェイクアップ回路２３０を用いてこの低電力ウェイクアップ信号を検出し、トランシーバ２１４（無線）を起動する、またはターンオンするように構成され得る。センサＳＴＡ１０６ｅは、積極的にその位置を示すパケットを送るか、あるいはどのアクションを行うか決定するために、スマートフォンＳＴＡ１０６からのパケットを受信するのを待機する。
【００６５】
[0083]ウェイクアップ回路２３０は、いくつかのモードに従って動作するように構成され得る。たとえば、第１のモードでは、低電力受信機２２８は、常にオンであり、ウェイクアップパケットを受信するのを待機する。これは、最速の応答を保証し得るが、電力消費が高くなる。別のモードでは、低電力ウェイクアップ受信機２２８は、常にオンであるとは限らず、ウェイクアップデューティサイクルに従って動作し得る。ウェイクアップデューティサイクルは、許容可能な相互作用遅延（tolerable interaction delay）に適合され得る。したがって、いくつかの場合には、ウェイクアップ信号は、オン状態の受信機を発見するために複数回送られ得る。
【００６６】
[0084]他の実施形態では、低電力受信機ＳＴＡ１０６ｅは、ＡＰ１０４と関連付けられ得る。したがって、一態様では、低電力受信機ＳＴＡ１０６ｅの相互作用は、ＡＰ１０４とのものであり、ＡＰ１０４との協働を利用することができる（たとえば同期動作が可能である）。たとえば、関連付けられたときには、既存の電力節約モード（power save modes）を機能強化する方法がいくつかあり得る。たとえば、電力節約モードでは、低電力受信機ＳＴＡ１０６ｅは、ビーコンを受信するためにウェイクアップすることがある。ビーコンは、低電力受信機ＳＴＡ１０６ｅが、ダウンリンクデータ（たとえばページングされた）を受信するためにさらにアウェイク状態のまま留まる必要があるかどうかを示す。さらに、ＡＰ１０４がビーコンの前に、低電力受信機ＳＴＡ１０６ｅがビーコン中でページングされている（またはページングされ得る）かどうかを示す、低電力ウェイクアップ信号を送る、低電力ウェイクアップ受信機２２８を有する機能強化があり得る。低電力受信機ＳＴＡ１０６ｅがページングされないであろう場合、またはページングされる可能性が低い場合には、低電力受信機ＳＴＡ１０６ｅは、電力を節約するために、ビーコンを受信するためにトランシーバ２１４をターンオンする必要がない。これらの場合には、低電力受信機２２８は、ウェイクアップ信号を受信するために、ビーコンより前に少なくともある時間オンである必要があることがある。
【００６７】
[0085]さらに、関連付けを用いることにより、トラフィックの仮定（traffic assumption）に基づく利益があり得る。たとえば、ダウンリンクデータの低い確率（a low probability of downlink data）があり得るので、低電力受信機ＳＴＡ１０６ｅは、低電力ウェイクアップ信号の後の時間の大部分、スリープ状態になっていてもよい。さらに、低電力ウェイクアップ信号が、いつビーコンが生じる（is coming）かを示す、長いスリープ時間および大きなクロックドリフト（long sleep time and large clock drift）の場合に、いくつかの利益があり得る。低電力受信機ＳＴＡ１０６３は、その時間までトランシーバ２１４をターンオンする必要がない。
【００６８】
[0086]ＲＦ低電力ウェイクアップ信号は、他のデータ信号と同じチャネル上で送信され得る。たとえば、低電力ウェイクアップ信号は、ＷｉＦｉデータ信号と同じチャネル上で送信され得る。したがって、他のデータとの共存が提供される。さらに詳細には、ＷｉＦｉ信号との共存が提供され得る。一態様では、共存を提供するために、様々な事項が考慮され得る。たとえば、ウェイクアップ信号は、ＷｉＦｉ信号より狭い帯域幅を有し得る。さらに、感度／レンジの制限を暗示し得る、ウェイクアップ信号をどの程度狭帯域にできるかについての規制する制限（regulatory limitations）があり得る。低電力受信機ＳＴＡ１０６ｅは、電力制約を受ける可能性があり、それら自体は低送信電力を用いる可能性がある。したがって、関連付けられた状態のＳＴＡ１０６ｅ（たとえばＡＰ１０４に近接している可能性が高い）では、ダウンリンクのリンクバジェット（downlink link budget）は、アップリンクのリンクバジェットより数ｄＢ良好であり得る。さらに、低ウェイクアップ受信機２２８の感度は、通常の受信機より最大で２０ｄＢ悪いことが許容され得る。関連付けられていない状態のＳＴＡでは、近接適用分野（proximity application）（たとえばロケーションタグ、関連付けられていないシナリオ）では、レンジがそれほど重要でない可能性があるので、適用分野で必要とされる感度がより低い可能性がある。
【００６９】
[0087]一般に、ウェイクアップ信号は、受信ＳＴＡにおいて１つまたは複数の挙動（behaviors）をトリガし得る。たとえば、数ある挙動の中でも、ウェイクアップ信号を受信することに応答して、ＳＴＡは、ＷｉＦｉ受信機をターンオンすること、ＵＬＰ受信機をターンオフすること、および／あるいはＷｉＦｉ受信機をターンオンして、またはターンオンせずに、特定のコマンドを実行することを行い得る。たとえば、ＳＴＡは、関連するアクチュエータをターンオンすること、ＰＳ−Ｐｏｌｌ／ＡＣＫを送ること、および／あるいはＷｉＦｉ受信機をターンオンして、またはターンオンせずに、ビーコンを読み取ることを行い得る。
【００７０】
[0088]挙動は、ウェイクアップ信号の受信に固有であることも、あるいはウェイクアップ信号で明示的に搬送されることもある。固有の場合には、挙動は、対象とするＳＴＡにおけるウェイクアップ信号の単なる受信への応答であり得る。受信時の挙動は、ＳＴＡとＡＰとの間のＷｉＦｉ管理交換（a WiFi management exchange）を有して構成され得る。たとえば、ＡＰは、ウェイクアップする、またはスリープするなど、ウェイクアップ信号の将来の受信時のＳＴＡに対する挙動を割り当て得る。コマンドがパケット中に明示的に示されている場合には、コマンド修正ビットが使用され得る。
【００７１】
[0089]たとえば、ＵＬＰメッセージまたはウェイクアップ信号中の特定のビットは、受信機が受信時に行うべき特定のアクションを示し得る。Ｘ個のビットがコマンドに割り振られている場合には、２X個のコマンドがあり得る。いくつかのコマンドは、電気通信プロトコル仕様によって明示的に定義されていることもある。２X個のコマンド値のうちの一部またはほとんどは、未定義のままであり得る。それらは、たとえばＵＬＰパケットの「ペイロード」として作動し得、それらの意味は、標準化の範囲外となり得る。
【００７２】
[0090]１ビットまたは複数ビットが、パケット、メッセージ、またはコマンドのタイプを示し得る。１つまたは複数のタイプは、たとえばベンダ仕様のためにオープンなまま残すことができる。１ビットまたは複数ビットが、そのコマンドを示し得る。
【００７３】
[0091]具体的なコマンドは、限定されず、ウェイクアップ、ウェイクアップおよびＰＳ−Ｐｏｌｌの送信、ウェイクアップおよび所定時間内のＰＳ−Ｐｏｌｌの送信、ウェイクアップおよびビーコンの読取り、ウェイクアップおよび可能な場合のＡＣＫの送信、ドーズまたはスリープへの復帰（back to doze or sleep）、競合なしのＵＬ送信の認可、汎用オン／オフコマンドなど、標準化コマンドを含み得る。これらに加えて、またはこれらの代わりに、他のコマンドも使用し得る。
【００７４】
[0092]いくつかの実施形態では、ウェイクアップ信号のフレームは、複数のアドレスを含み得る。代替の実施形態では、このフレームは、いかなるアドレスもまったく含まないこともあり得る。たとえば、ＡＰは、所与の時間で、ＵＬＰアウェイクモードであるすべてのＳＴＡをウェイクアップする。ＡＰは、ＵＬＰイネーブル状態のＳＴＡ（ULP enabled STA）に、ある時間間隔を関連付け、その時間間隔を異なるスロットに分割し、各スロットを１つまたは複数のＳＴＡに割り当てることができる。ＡＰは、特定のＳＴＡに割り当てられた時間スロット内でＵＬＰウェイクアップ信号を送信することによって、その特定のＳＴＡをウェイクアップすることができる。
【００７５】
[0093]アドレスの特定のタイプは、限定されず、ウェイクアップ信号に含まれ得る。いくつかの実施形態では、アドレスは、ＵＬＰ−ＩＤであり得る。たとえば、ＵＬＰ−ＩＤは、（部分）ユニキャストＡＩＤ（ＰＡＩＤ）であり得る。いくつかの実施形態では、複数のＵＬＰ−ＩＤが、単一のＳＴＡに割り当てられ得る。ＵＬＰ−ＩＤは、グループＩＤであり得る。たとえば、ＡＰは、複数のＳＴＡにＵＬＰ−ＩＤを割り当て得る。いくつかの実施形態では、ＡＰは、ＵＬＰ−ＩＤの割当ておよびグループの作成を担当する。いくつかの実施形態では、このような割当てのためのアルゴリズムは、標準仕様には含まれず、実施態様に依存し得る。いくつかの実施形態では、ＵＬＰ−ＩＤは、ＢＳＳの部分識別子（a partial identifier）を含む。いくつかの実施形態では、共通のブロードキャストＵＬＰ−ＩＤが、そのＡＰと関連付けられたすべてのＳＴＡに割り当てられる。
【００７６】
[0094]ＵＬＰ−ＩＤの割当てのために、管理フレームが定義される。関連付けの時点で、またはその後にＵＬＰの使用を要求するときに、ＳＴＡは、ＵＬＰ−ＩＤの割当てを暗示的に要求し得る。ＵＬＰ−ＩＤの定義によっては、割当ては、暗示的に定義され得る。たとえば、ＳＴＡのＵＬＰ−ＩＤは、ＳＴＡのＡＩＤおよび／あるいはＢＳＳＩＤまたはＭＡＣアドレスの関数となり得る。
【００７７】
[0095]ＵＬＰ−ＩＤが暗示的でない場合には、ＡＰは、ＰＳ−ＵＬＰモードの使用を認可する応答において、１つまたは複数のＵＬＰ−ＩＤまたはＵＬＰグループＩＤも示し得る。ＳＴＡがＵＬＰ−ＩＤを有していない場合には、ＡＰは、暗示的に（たとえばグループＩＤまたはＡＩＤから計算される）または明示的に（たとえば管理フレーム内に、または関連付けの時点で）ＳＴＡに対して割り当てられたＵＬＰスロットについての情報を搬送し得る。
【００７８】
[0096]上述のように、関連付けられていないＳＴＡは、ＵＬＰウェイクアップ信号を送信または受信し得る。これらのＳＴＡは、ＡＰと関連付けられていないので、ＡＩＤを有していない。ウェイクアップされるべき関連付けられていないＳＴＡのアドレスを示すためにグローバルＩＤが使用され得る。あるいは、ＳＴＡのタイプがベンダまたは機能などＳＴＡの特徴に依存し得る場合には、関連付けられていないＳＴＡのＵＬＰ−ＩＤは、ＳＴＡのタイプに基づき得る。いくつかの実施形態では、関連付けられていないＳＴＡのＵＬＰ−ＩＤは、トラフィックまたはＱｏＳのタイプに基づき得る。いくつかの実施形態では、関連付けられていないＳＴＡのＵＬＰ−ＩＤは、その関連付けられていないＳＴＡの完全なＭＡＣアドレスの関数となり得る。あるいは、ＵＬＰ−ＩＤは、アプリケーションまたはユーザによって提供され得る。
【００７９】
[0097]上述のように、ＳＴＡがウェイクアップ信号を受信することに応答して実行されるべき１つまたは複数のコマンドを指定するために、コマンド修正ビットが、ウェイクアップ信号内に、またはウェイクアップ信号とともに含まれ得る。以下のコマンド修正ビットおよび関連する定義または機能の非限定的な例は、様々な実施態様、および様々な組合せで使用され得る。
【００８０】
[0098]Ｘ１ビットは、さらにどのくらい多くのＵＬＰ信号がこの信号の後に続くかを示すために使用され得る。この情報は、たとえば、ウェイクアップ信号を送ったＡＰがウェイクアップ信号の受信に続く特定の時間の間ビジーになると決定するために、ＳＴＡによって使用され得る。たとえば、２個のＸ１ビットが使用され、カレントのＵＬＰ信号の後にさらに２つの信号が続く場合には、Ｘ１ビットは１０を示し得る。ｎ個のＸ１ビットが使用され、２＾ｎ−１個より多い信号が続く場合には、Ｘ１ビットは、２＾ｎ−１を示す。１つのＸ１ビットが使用される場合には、Ｘ１ビットは、追加のＵＬＰ信号が後に続くかどうかを示す。
【００８１】
[0099]Ｘ２ビットは、ＵＬＰ信号を送った後のＡＰの挙動を示すために使用され得る。たとえば、Ｘ２ビットは、ＡＰがＡＣＫを送るかどうか、またはある時間期間内にアップリンクパケットを受信することができないかどうかを示し得る。
【００８２】
[0100]Ｘ３ビットは、ＡＰにおけるタイムスタンプ、またはタイムスタンプのビット数など、時刻同期情報（time synch information）を搬送するために使用され得る。これは、ＳＴＡにおいてドリフトする（drifting）時間が電力消費に有意な影響を有するので、重要になり得る。いくつかの実施形態では、送信されたＵＬＰ信号の時間は、タイムスタンプについての何らかの情報を与えることができ、タイムスタンプの何らかの部分は、Ｘ３ビットから計算または決定され得る。
【００８３】
[0101]Ｘ４ビットは、ＵＬＰ信号の構造または内容を示すために使用され得る。たとえば、Ｘ４ビットは、ウェイクアップ信号がタイムスタンプのどのくらい多くのビットを含むかを示し得る。いくつかの実施形態では、Ｘ４ビットは、他のＸビットの定義を指定または修正するために使用される。
【００８４】
[0102]Ｘ５ビットは、他のＳＴＡについての情報を示すために使用され得る。たとえば、そのＳＴＡがその媒体についてコンテントし始める（start contenting for the medium）ことができるように、Ｘ５ビットは、他のＳＴＡについて、どのくらい多くのウェイクアップ信号が後に続くかを示し得る。
【００８５】
[0103]Ｘ６ビットは、ＵＬＰ信号の任意の符号化モードを示すために使用され得る。
【００８６】
[0104]Ｘ７ビットは、一般にビーコンまたは管理フレーム中に見られる特定の情報を示すために使用され得る。そのような実施形態では、ＳＴＡは、ビーコンまたは管理フレームを読み取ることなく、ＵＬＰ信号を介してこの情報を受信することができる。
【００８７】
[0105]Ｘ８ビットは、ＵＬＰ信号が、そのＵＬＰ信号の予想時間と比較してＡＰからどれくらい遅い、または遅れているかを示すために使用され得る。いくつかの実施形態では、ＳＴＡは、それのクロックをこの情報と同期させることができる。
【００８８】
[0106]Ｘ９ビットは、ＵＬＰ信号がどのくらい多くのＳＴＡに宛てられているかを示すために使用され得る。
【００８９】
[0107]Ｘ１０ビットは、媒体またはＰＨＹパラメータについての情報を含むために使用され得る。たとえば、ＰＨＹ符号化、ＮＡＶ、または媒体ビジー時間が、Ｘ１０ビットを用いて通信され得る。
【００９０】
[0108]Ｘ１１ビットは、ＵＬＰ信号がどのタイプかを示すために使用され得る。たとえば、ＵＬＰ信号は、ＳＴＡをアウェイクするため、または同期のみのためのものとすることができ、あるいは、ＵＬＰ信号は、その信号を受信するすべてのＳＴＡについての何らかの一般情報を含み得る。いくつかの実施形態では、Ｘ１１ビットは、他のＸビットの定義を指定または修正するために使用される。
【００９１】
[0109]Ｘ１２ビットは、次のＵＬＰ信号のためにＵＬＰ信号のプロトコルまたは定義の変更を示すために使用され得る。いくつかの実施形態では、Ｘ１２ビットは、変更されたプロトコルまたは定義を有するＵＬＰ信号がどのくらい多く後に続くかを示す、あるいはその変更が永続的なものであるか、またはさらに指定されるまでのものかを示し得る。Ｘ１２ビットは、ＵＬＰ信号に対するＰＨＹの変更、またはＭＡＣの変更を指定し得る。たとえば、ＵＬＰスロットの時間指定（time designation）は変更され得、あるいはウェイクアップ・シグナリングのプロトコルまたはシーケンスも変更されうる。
【００９２】
[0110]Ｘ１〜Ｘ１２ビットの任意のスーパーセットまたはサブセットがＵＬＰ信号に含まれ得、どのサブセットが含まれるかは、その信号自体の中に示され得る。たとえば、信号の構造と、その信号に含まれるものとを示すＸ４ビットは、ＵＬＰ信号中に常に存在し得る。
【００９３】
[0111]いくつかの実施形態では、ウェイクアップ信号は、８０２．１１ａｈのＰＨＹプリアンブルなど、ＰＨＹプリアンブルに含まれる。ウェイクアップ信号は、オン／オフキーイング（ＯＯＫ）を用いて符号化され得る。いくつかの実施形態では、ウェイクアップ信号は、以下の例に示すようなビット割振りを有し得る。  
【表１】
0006505766.tif 000002
【００９４】
[0112]いくつかの実施形態では、１組の直交シーケンス（たとえばＰＮ）が使用され得る。これは、たとえばＰＡＩＤを使用する場合など、１つのシーケンスのみが検出されるべきである場合に、特に有利であり得る。いくつかの実施形態では、このシーケンスは、オン／オフキーイング（ＯＯＫ）／振幅シフトキーイング（ＡＳＫ）／周波数シフトキーイング（ＦＳＫ）／相補的符号キーイング（complementary code keying）（ＣＣＫ）シーケンスを含み得る。
【００９５】
[0113]いくつかの実施形態では、固定された同期シーケンス（a fixed synchronization sequence）が使用され得る。固定された同期シーケンスは、コード化された／拡散されたデータが後に続き得る。これは、同期プリアンブル（synchronization preamble）が、複数のコード化されたビットを有する単一の検出器を含み得るので、特に有利であり得る。いくつかの実施形態では、同期シーケンスは、ＯＯＫ／ＡＳＫ／ＦＳＫ／ＣＣＫ同期シーケンスを含み得、低データレートＯＯＫ／ＡＳＫ／ＣＣＫデータシーケンスが後に続き得る。任意選択で、ＣＲＣフィールドも含まれ得る。
【００９６】
[0114]図５Ａは、本発明の一実施形態による、例示的な低電力ウェイクアップ信号５００ａの構造を示す。たとえば、ウェイクアップ信号５００ａは、符号化された信号を運ぶ単相信号（a single-phase signa）５０４ａであり得る。ウェイクアップ信号は、オン／オフキーイングまたは周波数シフトキーイングなどを用いて送信され得る。たとえば、オンオフキーイングと似ているものを使用する場合には、ウェイクアップ信号５００ａは、複数の０および１として表されるシーケンスであり得る。ウェイクアップ回路３３０および低電力受信機２２８が、複数の０および１の特定のシーケンスを検出するときに、ウェイクアップ回路３３０は、そのシーケンスによって指定される挙動をトリガし得る。ウェイクアップ回路３３０は、各可能な信号を検出しようとする複数の相関器を有し得る。
【００９７】
[0115]図５Ｂは、本発明の一実施形態による、別の例示的な低電力ウェイクアップ信号５００ｂの構造を示す。この低電力ウェイクアップ信号は、２つの部分を含む。第１の部分５０２ｂは、「グローバル」シーケンス（ロバスト）、すなわち「低電力ウェイクアップ・プリアンブル」に類するものを含む。これにより、低電力受信機２２８は、低電力信号５００が生じようとしている（is coming up）ことを検出でき得る。第１の部分５０２ａの後に続く第２の部分５０４ｂは、符号化された情報を含む。符号化された情報は、ウェイクアップされるべきＳＴＡ１０６ｅの識別子または他の情報を示し得る。符号化された情報は、上述のように、１つまたは複数のコマンドと、コマンド修正ビットとを含み得る。任意選択で、誤り検出用のチェックサムを含む第３の部分５０６ｂも存在し得る。第１の部分５０２ｂは、オン／オフキーイング、周波数シフトキーイン、またはタイミングと検出とを提供し得る他の変調されたプリアンブルシーケンスを用いて形成され得る。いくつかの実施形態では、第２の部分５０４ｂは、データを含み得る。拡散／符号化は、送信するＳＴＡおよび受信するＳＴＡ（transmitting and receiving STAs）によって合意され得る。
【００９８】
[0116]いくつかの実施態様では、低電力ウェイクアップ信号は、共存に備えた送信のシーケンスで提供され得る。たとえば、この新たな低電力ウェイクアップ信号がその後に続く８０２．１１ＯＦＤＭ  ＰＨＹプリアンブル用の新たなウェイクアップＰＰＤＵフォーマットなど、追加の「ウェイクアップＰＰＤＵフォーマット」プリアンブルが提供され得る。ＯＦＤＭ  ＰＨＹプリアンブルは、その信号の持続時間、受信機のウェイクアップ時間、および実行されるべき任意の他のコマンドの持続時間の間、８０２．１１  ＳＴＡに延期させる持続時間を（ＳＩＧフィールド内に）示し得る。８０２．１１  ＳＴＡは、入来する定期的なパケット（a regular packet）があると見なし得る。したがって、ペイロードの受信は失敗することがあるが、８０２．１１  ＳＴＡは、ＰＨＹプリアンブルにおいて示された時間の間、引き延ばす（defer）。さらに、低電力ウェイクアップ信号は、典型的なＰＰＤＵの持続時間とマッチさせるために最大で２０ｍｓのシグナリング持続時間を有するように提供され得る。さらに、他のデバイスが、チャネルにアクセスするためのコンテンションベース機構を受け入れる（honor）ことを保証するために、ヌルパケット（Null Packets）（ＳＴＡへのＱｏＳヌルフレーム）が、ウェイクアップ時間（たとえば低電力受信機ＳＴＡ１０６ｅのトランシーバ２１４がターンオンされる必要がある期間）中に送られ得る。さらに、同じＰＨＹプリアンブルによって保護される複数のウェイクアップ信号が存在し得る。加えて、ＰＨＹプリアンブルは、８０２．１１プリアンブルよりも狭い帯域幅を有し得る。いくつかの実施態様では、これに加えて、または別法として、「ウェイクアップＰＰＤＵフォーマット」プリアンブルの情報が、低電力ウェイクアップ信号内に符号化され得る。
【００９９】
[0117]図６Ａは、本発明の例示的な実施形態による、低電力ウェイクアップ信号を送信する例示的な信号送信６００ａを示す。最初に、ＰＨＹプリアンブル６０２ａが送信される。ＰＨＹプリアンブル６０２ａは、上述のように、修正された８０２．１１ＰＨＹプリアンブルであり得る。ＰＨＹプリアンブル６０２を受信し、復号することができるＳＴＡは、ワイヤレス通信媒体へのアクセスを延期する時間期間を示す情報を取得することができることがあり得る。図６Ａに示すように、延期する時間は、低電力ウェイクアップ信号を１つまたは複数の受信機に送信するために、送信するＳＴＡ１０６またはＡＴ１０によって必要とされる時間に対応し得る。一態様では、低電力受信機２２８は、プリアンブル６０２ａを復号または検出することができないことがあり得る。ＰＨＹプリアンブル６０２ａを送った後で、低電力ウェイクアップ信号６０４ａが送信される。低電力受信機ＳＴＡ１０６ｅは、この低電力ウェイクアップ信号６０４ａを検出すること、この低電力ウェイクアップ信号６０４ａ中の任意のコマンドとコマンド修正ビットとを復号すること、コマンド修正ビットによって通信された情報に従ってこれらのコマンドを実行すること、ならびに／またはたとえばＯＦＤＭ通信を受信するためにトランシーバ２１４を起動するなど、低電力ウェイクアップ信号を受信することに応答して１つまたは複数のコマンドを実行すること、を行うことができることがあり得る。さらに、別の低電力受信機ＳＴＡ１０６ｅに宛てられた第２の低電力ウェイクアップ信号６０５ａも送信され得る。いくつかの実施態様では、これに加えて、または別法として、ＰＨＹプリアンブル６０２ａの情報が、低電力ウェイクアップ信号内に符号化され得る。
【０１００】
[0118]図６Ｂは、本発明の例示的な実施形態による、低電力ウェイクアップ信号を送信する例示的な信号送信６００ｂを示す。最初に、６Ａを参照して上述したように、ＰＨＹプリアンブル６０２ｂが送信される。図６Ｂに示すように、延期する時間は、低電力受信機ＳＴＡ１０６ｅが後続の低電力ウェイクアップ信号中の任意のコマンドを復号するのに、および／またはそれのトランシーバ２１４を起動するなどそれらの任意のコマンドを実行するのに必要とされる決定された期間、および、低電力ウェイクアップ信号を１つまたは複数の受信機に送信するために、送信するＳＴＡ１０６またはＡＴ１０４によって必要とされる時間、に対応し得る。ＰＨＹプリアンブル６０２ｂを送った後で、低電力ウェイクアップ信号６０４ｂが送信される。低電力受信機ＳＴＡ１０６ｅは、この低電力ウェイクアップ信号６０４ｂを検出し、トランシーバ２１４を起動することができることがあり得る。ウェイクアップ時間期間の後に低電力受信機ＳＴＡ１０６ｅがワイヤレス通信を受信できるようになるそのウェイクアップ時間期間の後に、低電力ウェイクアップ信号６０４ｃを送信したＳＴＡ１０６は、低電力受信機ＳＴＡ１０６ｅにパケット６０６ｂを送り得る。いくつかの実施態様では、これに加えて、または別法として、ＰＨＹプリアンブル６０２ｂの情報が、低電力ウェイクアップ信号内に符号化され得る。
【０１０１】
[0119]図６Ｃは、本発明の例示的な実施形態による、低電力ウェイクアップ信号を送信する例示的な信号送信６００ｃを示す。最初に、６Ａを参照して上述したように、ＰＨＹプリアンブル６０２ｃが送信される。図６Ｃに示すように、延期する時間は、低電力受信機ＳＴＡ１０６ｅが後続の低電力ウェイクアップ信号中の任意のコマンドを復号し、それのトランシーバ２１４を起動するなどそれらの任意のコマンドを実行するのに必要とされる決定された期間、および、低電力ウェイクアップ信号を１つまたは複数の受信機に送信するために、送信するＳＴＡ１０６またはＡＴ１０４によって必要とされる時間、に対応し得る。ＰＨＹプリアンブル６０２ｃを送った後で、低電力ウェイクアップ信号６０４ｃが送信される。低電力受信機ＳＴＡ１０６ｅは、この低電力ウェイクアップ信号６０４ｃを検出すること、その低電力ウェイクアップ信号６０４ａ中の任意のコマンドとコマンド修正ビットとを復号すること、コマンド修正ビットによって通信された情報に従ってコマンドを実行すること、ならびに／またはトランシーバ２１４を起動するなど、低電力ウェイクアップ信号を受信することに応答して１つまたは複数のコマンドを実行すること、を行うことができることがあり得る。ウェイクアップ時間期間中に、ワイヤレス通信媒体上で信号の存在が検出され得るように、ヌルフレーム６０８ｃが送信され得る。たとえば、たとえば低ＳＮＲによってプリアンブル６０２ｃを見逃す(miss)、またはプリアンブル６０２ｃを正しく復号することができないＳＴＡ１０６は、依然として、ヌルフレーム６０８ｃの間にワイヤレス媒体上のエネルギーを検出し、その時間期間にわたってその媒体にアクセスすることを止めることができることがあり得る。ウェイクアップ時間期間の後に低電力受信機ＳＴＡ１０６ｅがワイヤレス通信を受信できるようになるそのウェイクアップ時間期間の後に、低電力ウェイクアップ信号６０４ｃを送信したＳＴＡ１０６は、低電力受信機ＳＴＡ１０６ｅにパケット６０６ｂを送り得る。このパケットは、低電力受信機ＳＴＡ１０６ｅのトランシーバ２１４によって受信され、復号され得る。いくつかの実施態様では、これに加えて、または別法として、ＰＨＹプリアンブル６０２ｃの情報が、低電力ウェイクアップ信号内に符号化され得る。
【０１０２】
[0120]図６Ｄは、本発明の例示的な実施形態による、低電力ウェイクアップ信号を送信する例示的な信号送信６００ｄを示す。ＰＨＹプリアンブル６０２ｄを送信した後で、２つの低電力ウェイクアップ信号６０４ｄおよび６０５ｄが、２つの異なる低電力受信機ＳＴＡに送信され得る。プリアンブル６０２ｄを復号することができる他のＳＴＡは、プリアンブル６０２ｄから情報を取得して、両方の低電力ウェイクアップ信号の送信中、媒体へのアクセスを延期し得る。
【０１０３】
[0121]別の実施形態では、低電力ウェイクアップ信号を送信しているＳＴＡ１０６は、ウェイクアップ信号の前、またはウェイクアップ信号内で、ネットワーク割振りベクトル（network allocation vector）（ＮＡＶ）を設定するＣＴＳ−ｔｏ−ｓｅｌｆまたは他のフレームを送り得る。
【０１０４】
[0122]図７Ａは、本発明の例示的な実施形態による、低電力ウェイクアップ信号を送信する例示的な信号送信の別のグループを示す。ＣＴＳフレーム７０２ａは、ワイヤレス媒体上で送られる。ＣＴＳフレーム７０２ａを受信し、復号することができる任意のＳＴＡ１０６は、それのＮＡＶを設定し得、たとえば低電力ウェイクアップ信号内に符号化された任意のコマンドを実行するための時間に対応する、任意選択でウェイクアップ時間期間、および低電力ウェイクアップ信号の持続時間、の間、チャネルへのアクセスを延期し得る。ＣＴＳフレーム７０２ａが送られた後で、低電力ウェイクアップ信号７０４ａが送信される。対応する低電力受信機ＳＴＡ１０６ｅは、この低電力ウェイクアップ信号を受信および検出すること、低電力ウェイクアップ信号７０４ａ内の任意のコマンドおよびコマンド修正ビットを復号すること、コマンド修正ビットによって通信された情報に従ってコマンドを実行すること、ならびに／あるいはそれのトランシーバ２１４を起動するなど、低電力ウェイクアップ信号を受信することに応答して１つまたは複数のコマンドを実行すること、を行い得る。低電力ウェイクアップ信号７０４ａを送信するＳＴＡ１０６は、その後、低電力受信機ＳＴＡ１０６ｅにパケットを送信する。さらに、低電力ウェイクアップ信号７０４ａを送信するＳＴＡ１０６は、上述のように、ウェイクアップ時間の間に、ヌルフレームを送信し得る。いくつかの実施態様では、これに加えて、または別法として、ＣＴＳフレーム７０２ａの情報が、低電力ウェイクアップ信号７０４ａ内に符号化され得る。
【０１０５】
[0123]図７Ｂは、本発明の例示的な実施形態による、低電力ウェイクアップ信号を送信する例示的な信号送信の別のグループを示す。これらのフレームは、２つの低電力ウェイクアップ信号７０４ｂおよび７０５ｂが送信されることを除けば、図７Ａと同じである。この場合には、ＣＴＳ７０２ｂは、両方の低電力ウェイクアップ信号７０４ｂおよび７０５ｂの持続時間の間にＮＡＶを設定することを指示し得る。その後、パケット（たとえばパケット７０６ｂ）が、対応する受信機に送られる。いくつかの実施態様では、これに加えて、または別法として、ＣＴＳフレーム７０２ｂの情報が、低電力ウェイクアップ信号７０４ｂおよび７０５ｂ内に符号化され得る。
【０１０６】
[0124]図８は、ワイヤレス通信の例示的な方法８００の流れ図である。この方法は、低電力受信機ＳＴＡ１０６ｅによって実行され得る。ブロック８０２で、装置がウェイクアップするための時間と、ワイヤレス通信デバイスからページングフレームを受信することに応答してアクションを実行するための命令とを備えるメッセージがワイヤレスに受信される。たとえば、低電力受信機ＳＴＡ１０６ｅは、このメッセージを受信および検出するように構成され得る受信機２１２を含み得る。このメッセージは、ページングフレームまたはウェイクアップ信号を受信したときにＳＴＡ１０６ｅが実行するアクションを含み得る。いくつかの実施態様では、このメッセージは、たとえば図１４Ａと関連してさらに詳細に説明されるターゲット・ウェイクアップ時間（a target wake up time）（ＴＷＴ）要素であり得る。ブロック８０４で、ＳＴＡ１０６ｅは、ワイヤレス通信デバイスからページングフレームを受信し得る。いくつかの実施態様では、ＳＴＡ１０６ｅは、ブロック８０２のメッセージの受信の後で、ページングフレームを受信し得る。たとえば、低電力受信機ＳＴＡ１０６ｅは、受信機２１２、および／またはページングフレームを受信および検出するように構成され得る低電力受信機２２８を備えるウェイクアップ回路２３０を含み得る。ページングフレームは、たとえば図１２に関連してさらに詳細に説明されるヌルデータパケットを備え得る。ウェイクアップ回路２３０は、トランシーバ２１４をターンオンし得る、または電源投入し（power on）得る。一態様では、低電力受信機ＳＴＡ１０６ｅは、８０２．１１などの標準に従ってトランシーバ２１２を介して通信を送信および受信するように構成される。ブロック８０６で、ＳＴＡ１０６ｅは、ページングフレームを受信することに応答してアクションを実行し得る。たとえば、このアクションは、以下で図１４Ｄに関連してさらに詳細に説明される複数のアクションのうちの任意の１つまたは複数に対応し得る。
【０１０７】
[0125]図９は、ワイヤレス通信の別の例示的な方法９００の流れ図である。この方法は、ＳＴＡ１０６またはＡＰ１０４によって実行され得る。ブロック９０２で、ＳＴＡがウェイクアップするための時間と、ページングフレームを受信することに応答してアクションを実行するための命令とを備えるメッセージが生成される。いくつかの実施態様では、このメッセージは、たとえば図１４Ａと関連してさらに詳細に説明されるＴＷＴ要素を備え得る。ブロック９０４で、このメッセージは、ＳＴＡに送信される。ＳＴＡは、低電力受信機ＳＴＡ１０６ｅであり得る。ブロック９０６で、ページングフレームが生成され得る。いくつかの実施態様では、このページングフレームは、たとえばＳＴＡ１０６ｅなどの低電力受信機をウェイクアップするためのウェイクアップ信号であり得る。いくつかの実施態様では、ページングフレームは、たとえば図１２に関連してさらに詳細に説明されるヌルデータパケットであり得る。ブロック９０８で、ページングフレームが、ＳＴＡに送信される。
【０１０８】
[0126]図１０は、ワイヤレス通信システム１００内で利用され得る別の例示的なワイヤレスデバイス１０００の機能ブロック図である。当業者なら、ワイヤレス通信デバイス１０００が、図２〜図４に示すワイヤレス通信デバイスより多くの構成要素を有し得ることを理解するであろう。示されているワイヤレス通信デバイス１０００は、特定の実施態様のいくつかの主要な特徴を説明するのに有用なこれらの構成要素のみを含む。デバイス１０００は、ウェイクアップ信号を受信することができ得る受信モジュール１００２を含む。いくつかの場合には、ウェイクアップ信号を受信するための手段は、受信モジュール１００２を含み得る。受信モジュール１００２は、図８のブロック８０２に関して上述した複数の機能のうちの１つまたは複数を実行するように構成され得る。受信モジュール１００２は、低電力受信機２２０に対応し得る。デバイス１０００は、ウェイクアップ信号に基づいて実行するコマンドを決定するように構成された処理モジュール１００４をさらに備える。処理モジュール１００４は、このコマンドを実行させるようにも構成され得る。処理モジュール１００４は、ウェイクアップ回路２３０および／またはプロセッサ２０４に対応し得る。いくつかの場合には、コマンドを実行するための手段は、処理モジュール１００４を含み得る。
【０１０９】
[0127]図１１は、ワイヤレス通信システム１００内で利用され得る別の例示的なワイヤレスデバイス１２００の機能ブロック図である。当業者なら、ワイヤレス通信デバイス１２００が、図２〜図４に示すワイヤレス通信デバイスより多くの構成要素を有し得ることを理解するであろう。示されているワイヤレス通信デバイス１１００は、特定の実施態様のいくつかの主要な特徴を説明するのに有用なこれらの構成要素のみを含む。デバイス１１００は、送信モジュール１１０２を含む。いくつかの場合には、ウェイクアップ信号を送信するための手段は、送信モジュール１１０２を含み得る。送信モジュール１１０２は、図９のブロック９０４に関して上述した複数の機能のうちの１つまたは複数を実行するように構成され得る。送信モジュール１１０２は、送信機２１０に対応し得る。デバイス１１００は、処理モジュール１１０４をさらに備える。処理モジュール１１０４は、プロセッサ２０４に対応し得る。いくつかの場合には、ウェイクアップ信号を生成するための手段は、処理モジュール１１０４を含み得る。処理モジュール１１０４は、図９のブロック９０２に関して上述した複数の機能のうちの１つまたは複数を実行するように構成され得る。
【０１１０】
[0128]いくつかの実施態様では、ウェイクアップ信号は、ヌルデータパケット（a null date packet）（ＮＤＰ）ページングフレームなどのページング信号を含み得る。図１２は、本開示の態様による、ＮＤＰ（ヌルデータパケット）ページングフレーム・フォーマットの一例を示す。図示のように、ＮＤＰページングフレーム信号は、たとえば、１つまたは複数の追加のページングフレームが、このページングフレームの送信の後に続くという指示を含み得る。ページングフレームは、そのページングフレームがアップリンクまたはダウンリンク送信と関連付けられるという指示をさらに含み得る。図示のように、追加ビットが、ＮＤＰ同期フレームの１ＭＨｚ  ＳＩＧフィールドに追加され得る。特定の態様によれば、図１２に示すフィールドは、以下の機能を有し得る。
【０１１１】
[0129]Ｐ−ＩＤ：ページングされた１つまたは複数のＳＴＡの識別子。たとえば、それが単一のＳＴＡを識別するか、またはＳＴＡのグループを識別するかを示すための１ビット（たとえば、１：単一の場合、＝０：グループの場合）。残りの８ビット：単一のＳＴＡ：対象とする受信側（intended recipient）の部分ＭＡＣアドレスが使用されている（ＲＡ［４０：４７］。ＳＴＡのグループ：ＴＢＤ。グループＩＤは、すべてゼロにはならないものとする。ＢＵビットは、除去され得る。ＢＵなしを示すためのリザーブＰ−ＩＤ＝０。部分ＴＳＦ（ＴＳＦ［ｘ：ｘ＋５］が使用されており、ｘは、セットアップ時にＡＰとＳＴＡとの間で決定される）。
【０１１２】
[0130]チェックビーコン（Check Beacon）：たとえばＮＤＰページングシグナリング内に示されるようなチェックビーコンシーケンス番号の最後のビットは、（アプリケーション待ち時間要件（application latency requirements）を満たすために）それが頻繁に送られる必要があるシナリオで有用である。この場合には、ＮＤＰページング間隔内での複数のビーコン変化の尤度（likelihood）は、非常に低い、または０である（それが各ビーコン間隔ごとに送られる場合）。
【０１１３】
[0131]Ｍｏｒｅ  ＮＤＰフィールドは、後続の（たとえばＳＩＦＳの後の）少なくとも他のＮＤＰページング信号があるかどうかを示し得る。これは、ＡＰが、複数のＳＴＡに同じＮＤＰページング時間を割り振り、２つ以上のＳＴＡを個別にページングしようとする場合に有用であり得る。
【０１１４】
[0132]示されるＮＤＰフレームは、そのフレームがＡＰから１つまたは複数の局に送信されるダウンリンクページングについて述べられている。ただし、本明細書に提示される技法は、アップリンクＮＤＰページングでも使用され得る。ＤＬの場合と同様に、ＮＤＰページング信号は、たとえばＲＡＷ／ＴＷＴスケジューリング決定で使用されるＵＬ指示など、アップリンクのバッファリングされたデータ（uplink buffered data）についてＡＰに定期的に通知するためにＳＴＡによって使用され得る。
【０１１５】
[0133]ＮＤＰメッセージをアップリンクで使用するために、本明細書に提示される技法は、フロー指示（flow indication）（ＵＬ／ＤＬ）のためにリザーブされたビットのうちの１つを使用し得る。これは、ＵＬメッセージが同じＢＳＳ内のＯＢＳＳまたは他のＳＴＡにおいてＤＬメッセージによって間違われることを回避する助けとなり得る。これらの技法では、ＵＬの送信機の部分ＭＡＣアドレスとして（チェックビーコン＋部分ＴＳＦ＋Ｍｏｒｅ  ＮＤＰ）フィールド（合計８ビット）も使用し得る。なお、アップリンクでは、これらのいずれも必要ない可能性もあることに留意されたい。したがって、Ｐ−ＩＤフィールドは、通常の方法で、受信機部分ＭＡＣアドレスで使用され得る。
【０１１６】
[0134]本明細書に説明するように、本明細書に提示される技法は、ＮＤＰページングメッセージフィールドの定義を提供し得る。この技法は、ＵＬ／ＤＬを示すために１ビットを使用する、および、アップリンク指示のためのＮＤＰページングメッセージを使用するための機構を提供する。
【０１１７】
[0135]図１３Ａは、本発明の一実施形態によるＮＤＰページングフレーム・フォーマットの別の例を示す。ＮＤＰ制御フレーム１５００（ＮＤＰページングフレームとも呼ばれる）は、ページングされたデバイスの識別子であるＰ−ＩＤフィールド１５１０を含む。ＤＩフィールド１５５０は、方向識別子（a direction identifier）である。特定の実施態様では、ＮＤＰページングフレームが非ＡＰ局（a non-AP station）からＡＰに送られた場合には、ＤＩフィールドは、１に設定されるものとする。ＮＤＰページングフレームがＡＰによって送られた場合には、ＤＩフィールドは、０に設定されるものとする。フィールド１５７０は、リザーブされる。通信が１ＭＨｚの帯域幅を使用するか２ＭＨｚの帯域幅を使用するかに応じて、フィールド１５７０は、３２番目から３６番目のビット、または３２番目から４７番目のビットのいずれかをそれぞれ含むことができる。ＡＰＤＩ／ＰＡＩＤフィールド１５３０は、ＤＩフィールドの値に応じて、ＡＰＤＩまたはＰＡＩＤのいずれかに設定される。ＤＩフィールドが１に設定される場合には、ＡＰＤＩ／ＰＡＩＤフィールドは、送信機非ＡＰ局（transmitter non-AP station）のＰＡＩＤに設定されるＰＡＩＤ（送信機部分ＡＩＤ）に設定される。ＤＩフィールドが０に設定される場合には、ＡＰＤＩ／ＰＡＩＤフィールドは、ＡＰＤＩに設定される。
【０１１８】
[0136]１実施態様では、ＤＩフィールドは、１つの方向から１に設定され、他の方向で０に設定され得る。ＤＩフィールドは、両方の方向について１または０に設定されてもよいし、あるいは局の合意に基づいて０に設定されてもよい。ＤＩフィールドは、ランダムに設定されてもよいし、あるいはタイマによって指示されるように設定されてもよい。
【０１１９】
[0137]図１３Ｂは、本発明の一実施形態による、図１３ＡからのＡＰＤＩフィールド１５３０の例示的な構造を示す。ＡＰＤＩフィールド１５３０は、送信局の部分ＴＳＦを含むＰＴＳＦフィールド１５３２を有する。チェックビーコンビット１５３６は、ビーコン中の変更を示す。Ｍｏｒｅ  ＮＤＰフィールド１５３４は、ＮＤＰページングフレームの後に別のＮＤＰページングフレームが続く場合に、１に設定される。
【０１２０】
[0138]いくつかの実施態様では、ＴＷＴ情報要素などのターゲット・ウェイクアップ時間（a target wakeup time）（ＴＷＴ）信号が、ページングフレーム（図１２および図１５Ａ〜図１５Ｂに示される）などのウェイクアップ信号が送られるターゲット・ウェイクアップ時間をスケジューリングするために使用され得る。その後、ＴＷＴ信号によってスケジューリングされた通りに、ターゲット・ウェイクアップ時間にページングフレームが送信される。ＴＷＴ信号は、ウェイクアップ信号の受信時の局のアクションを定義する任意選択のＮＤＰページング（ＮＰ）フィールドを含み得る。たとえば、ＳＴＡは、ＡＰにＴＷＴ信号を送って、ＴＷＴとして示唆された時間にウェイクアップ信号が送られることを要求することができ、データが保留状態である（is pending）場合には、ＡＰは、示唆されたターゲット・ウェイクアップ時間に、ＳＴＡに向けられたウェイクアップ信号を送る。ＴＷＴ信号は、ウェイクアップ信号の受信時のＳＴＡのアクションも定義し得る。ＳＴＡは、ＡＰからウェイクアップ信号を受信すると、ＴＷＴ信号に指定されたアクションを実行する。
【０１２１】
[0139]図１４Ａは、本発明の一実施形態による例示的なＴＷＴ情報要素１６００の構造を示す。ＴＷＴ情報要素１６００は、情報要素の識別を示すＩＥＩＤフィールド１６１０を含む。長さフィールド１６２０は、情報要素の長さを示す。制御フィールド１６２２は、特定の制御情報を含む。要求タイプ（ＲＴ）フィールド１６３０は、要求タイプを示す。ターゲット・ウェイクアップ時間（ＴＷＴ）フィールド１６４０は、ターゲット・ウェイクアップ時間を示す。ＴＷＴグループ割当てフィールド１６４２は、ＴＷＴグループの割当てに関係する情報を含む。公称最小ウェイク持続時間フィールド（a nominal minimum wake duration field）１６５０は、最小ウェイク持続時間を示す。ウェイク間隔仮数（wake interval Mantissa）（ＷｉＭ）フィールド１６６０は、示される持続時間に必要とされるウェイク間隔のウェイク間隔仮数を示す。ＴＷＴチャネル１６６２は、ＴＷＴ情報要素のチャネルを示す。１実施態様では、ＮＤＰページング（ＮＰ）フィールド１６７０を除く、ＴＷＴ情報要素１６００のすべてのフィールドは、８０２．１１ａｈ標準に定義される通りである。１実施態様では、長さフィールドは、長さフィールドが特定の値（たとえば１６より大きな値）に設定された場合に、ＮＰフィールド１６７０の存在を示す。
【０１２２】
[0140]図１４Ｂは、一実施形態による図１４Ａからの例示的なＴＷＴグループ割当てフィールド１６４２の構造を示す図である。１実施態様では、ＴＷＴグループ割当てフィールド１６４２は、８０２．１１ａｈ標準に定義される通りである。ＴＷＴグループ割当てフィールド１６４２は、グループＩＤフィールド１６４３と、グループフィールドのゼロオフセット１６４４と、ＴＷＴユニットグループ１６４５と、グループフィールド内の増分１６４６とを含む。図１４Ａおよび図１４Ｂの各々に示されるように、各フィールドは、例示的な数のオクテットを備え得る。いくつかの実施態様では、１オクテットは、１バイト（Ｂ）を備え得る。いくつかの実施態様では、１バイトは、８ビットを備え得る。したがって、いくつかの実施態様では、１オクテットは、８ビットを備え得る。さらに、図１２〜図１４Ｄの各々では、特定のフィールドについて例示的なビット、バイトおよび／またはオクテットの数または範囲について述べられているが、これらの数および／または範囲は、非限定的なものであり、特定のフィールドは、特定の実施態様に基づいて、異なる数または範囲のビット、バイトおよび／またはオクテットを備え得る。
【０１２３】
[0141]図１４Ｃは、一実施形態による図１４Ａからの例示的な制御フィールド１６２２の構造を示す。１実施態様では、制御フィールド１６２２は、８０２．１１ａｈ標準に定義される通りである。制御フィールド１６２２は、ＮＤＰページング識別子フィールド１６２４と、ＴＷＴスリープ識別子フィールド１６２６とを含む。１実施態様では、ＮＤＰページング識別子フィールド１６２４およびＴＷＴスリープ識別子１６２６の各々は、１ビットを含む。残りのビット２〜７は、リザーブされる。
【０１２４】
[0142]図１４Ｄは、本発明の一実施形態による図１４ＡからのＮＰフィールド１６７０の例示的なフォーマットを示す。特定の実施態様では、ＮＰフィールド１６７０は、ページング識別を示すＰ−ＩＤフィールド１６７１を含む。ＰＴＳＦＯフィールド１６７２は、８０２．１１ａｈ標準に記載されるものなどの部分ＴＳＦオフセットを示す。アクションフィールド１６７３は、ＮＤＰページングのセットアップフェーズの応答ＴＷＴ  ＩＥ中のＮＰフィールド内のＰ−ＩＤフィールドと一致するＰ−ＩＤフィールドを有するＮＤＰページングフレームの受信時の局のアクションを定義する。アクションフィールドの異なる値は、以下に列挙するように異なるアクションを表す。  
０ ＝ ＰＳ−Ｐｏｌｌを送る  
１ ＝ パケット受信を待機する  
２ ＝ ＳＴＡがビーコンを受信する  
３ ＝ ＳＴＡが配信トラフィック指示メッセージ（delivery traffic indication message beacon）（ＤＴＩＭ）ビーコンを受信する  
４−７ ＝ リザーブ。
【０１２５】
[0143]ＰＲＧフィールド１６７４は、局がＮＤＰページング以外の他のタイプのパケットを受信することができるオフセット時間を示す。オフセットは、ＳＩＦＳの単位として計算される。１実施態様では、ＮＰフィールドのビット番号１５がリザーブされ得る。
【０１２６】
[0144]上述のように、ＮＤＰページングは、ＴＷＴ  ＩＥ１６００（図１４Ａに示される）を用いてセットアップされ、その後、ＮＤＰページングフレーム１５００（図１３Ａに示される）を用いて実行され得る。ＮＤＰページング手順のさらなる詳細については、以下で述べる。１実施態様では、ＮＤＰページング手順は、ＴＷＴプロトコルを用いて、スケジューリングされたウェイクアップ間隔をセットアップすることと、バッファリングされたユニット（Ｂｕｓ）の存在の効率的なシグナリングおよび同期化を定義することとによって、ＳＴＡにおける省電力のためのプロトコルを定義する。
【０１２７】
[0145]ＴＷＴ応答側ＳＴＡ（a TWT responder STA）とのＴＷＴをセットアップするＴＷＴ要求側ＳＴＡ（a TWT requester STA）は、ＴＷＴセットアップ交換（TWT setup exchange）においてＮＤＰページングインジケータビットを１に設定することにより、ＴＷＴ応答側ＳＴＡがＴＷＴ要求側ＳＴＡのＢＵを有するかどうかを示すためにＴＷＴの間にＮＤＰページングフレーム（１５００）をＴＷＴ要求側ＳＴＡに送るようにＴＷＴ応答側ＳＴＡに対してさらに要求することができる。応答側ＳＴＡは、同期情報の搬送、および／またはビーコンの状態の指示のために、ＮＤＰページングフレームを送ることもできる。ＮＤＰページングフレームがＴＷＴの間に受信されない場合には、ＴＷＴ要求側ＳＴＡは、そのＴＷＴの最小アウェイク時間（図１４Ａに示されるＭＷＤフィールド１６４０に示される）の終了時にスリープに入り（sleep）得る。ＮＤＰページングフレームが受信された場合には、ＴＷＴ要求側ＳＴＡは、そのフレームに含まれる指示に応じて、本節に示されるように挙動する。特に、ＳＴＡは、保留中のＢＵ（pending BU）を求める要求を送信する、次のビーコンでアウェイクするようにスケジューリングする、または単にデータを待機し得る。
【０１２８】
[0146]ＮＤＰページングセットアップは、１に設定されたＮＤＰページングインジケータおよび次のように存在するＮＤＰページングフィールドを有する、要求タイプの１つのＴＷＴ  ＩＥおよび応答タイプの１つのＴＷＴ  ＩＥの交換を含む。  
１．  ＮＤＰページングセットアップ要求：  
・  ＮＤＰページング要求は、１に設定されたＮＤＰページング識別子および存在するＮＤＰページングサブフィールドを有する、ＴＷＴ要求ＩＥを含むフレームとして定義される。  
・  ＮＤＰページング要求ＳＴＡ（NDP Paging Requesting STA）は、ＴＷＴ要求においてＮＤＰページング識別子が１に設定される場合には、ＴＷＴ要求ＳＴＡ（TWT Requesting STA）として定義される。  
・  非ＡＰ  ＳＴＡは、受信側ＳＴＡ（a recipient STA）に１つまたは複数のＮＤＰページング要求フレームを送り得、この場合には、送り側ＳＴＡ（sender STA）は、Ｐ−ＩＤフィールドをそれに割り当てられたＡＩＤのうちの１つに設定するものとし、アクションフィールドはリザーブされる。  
・  ＡＰは、受信側ＳＴＡに１つまたは複数のＮＤＰページング要求を送り得、この場合には、Ｐ−ＩＤフィールドは、任意の値に設定され得る。  
２．  ＮＤＰページングセットアップ応答：  
・  ＮＤＰページング応答は、ＮＤＰページング識別子が１に設定されＮＤＰページングサブフィールドが存在する、ＴＷＴ応答ＩＥを含むフレームとして定義される。  
・  ＮＤＰページング応答側ＳＴＡ（NDP Paging Responding STA）は、ＴＷＴ応答においてＮＤＰページング識別子が１に設定される場合には、ＴＷＴ応答側ＳＴＡ（TWT Responding STA）として定義される。  
・  ＮＤＰページング要求の受信時に、受信側ＳＴＡは、ＮＤＰページング応答で応答するものとする。ＮＤＰページング応答をＡＰに送るＳＴＡは、Ｐ−ＩＤを、要求からのＰ−ＩＤと同じ値に設定するものとする。ＮＤＰページング応答を非ＡＰ  ＳＴＡに送るＳＴＡは、Ｐ−ＩＤを、要求からのＰ−ＩＤと同じ値に設定しなければならない。ＮＤＰページング応答側は、図１４Ｄに関連して上述したようにアクションフィールドを設定するものとする。ＮＤＰページング応答フレーム内のＰＴＳＦＯフィールドは、リザーブされる。
【０１２９】
[0147]ＮＤＰページングをうまくセットアップしたＳＴＡは、ＮＤＰページング応答内のＰ−ＩＤと同じ値または０のいずれかに設定されたＰ−ＩＤを有するＮＤＰページングフレームを受信する場合には、ページングされたＳＴＡと呼ばれる。ページングされたＳＴＡは、次のように、ＴＷＴ応答内のＮＤＰページングフィールドのアクションサブフィールドの値によって定義されるように挙動し得る。  
・  アクションフィールド＝０：ＳＴＡはＰＳ−Ｐｏｌｌを送るものとする。  
・  アクションフィールド＝１：ＳＴＡは、ＮＤＰページングフレームの受信の終了後に、ＳＩＦＳのＰＲＧユニットの後の任意のパケットタイプを受信することができるものとする。  
・  アクションフィールド＝２：ＳＴＡは、ＮＤＰページングフレームの受信の終了後に、ＳＩＦＳのＰＲＧユニットの後にＴＢＴＴ中に生じる次のビーコンまたはショートビーコンを受信するものとする。  
・  アクションフィールド＝３：ＳＴＡは、ＮＤＰページングフレームの受信の終了後に、ＳＩＦＳのＰＲＧユニットの後に生じる次のＤＴＩＭを受信するものとする。
【０１３０】
[0148]ＴＷＴ  ＩＥが送信された後で、次いで、ＴＷＴ  ＩＥによってスケジューリングされたＴＷＴにおいて、ＮＤＰページングフレームが送信される。たとえば、応答としてＴＷＴ  ＩＥを送る局は、以下の条件のうちの１つが満たされた場合に、応答内のＴＷＴフィールドによって示される時間に送信するための次のフレームとして、ＮＤＰページングフレームをスケジューリングするものとする。  
・  ＡＰに宛てられたバッファリングされたユニット（Ｂｕｓ）がある。  
・  要求内に示されているＡＩＤを有する非ＡＰ局に宛てられたＢＵがある。  
・  ビーコンに対する重要な更新が生じている。
【０１３１】
[0149]ページングフレームのＤＩフィールドは、方向識別子である。ＮＤＰページングフレームが非ＡＰ局によってＡＰに送られる場合には、ＤＩフィールドは、１に設定されるものとする。ＮＤＰページングフレームがＡＰによって送られる場合には、ＤＩフィールドは、０に設定されるものとする。
【０１３２】
[0150]ＮＤＰページングフレームのＰ−ＩＤフィールドは、要求側局のＢＵ（BUs for the requestor station）がある場合には、ＴＷＴ  ＩＥ応答内のＰ−ＩＤフィールドに設定されるものとする。ＮＤＰページングフレームのＰ−ＩＤフィールドは、要求側局のＢＵがない場合には、ＴＷＴ応答のＰ−ＩＤフィールドに設定されないものとする。１実施態様では、ブロードキャスト情報には、すべてゼロのＰ−ＩＤ値が使用され得る。
【０１３３】
[0151]要求を送り、応答を受信する局は、すべてゼロに設定されたＰ−ＩＤおよび変更されていない（以前に少なくとも一度は広告されたものと同じである）チェックビーコンを有する、ＮＤＰページングを受信した場合に、次のＤＴＩＭを読み取るものとする。
【０１３４】
[0152]ＮＤＰページングフレームのＰＡＩＤフィールドは、ＤＩフィールドの値に応じて決定され得る。ＤＩフィールドが１に設定される場合には、ＮＤＰページングフレーム内のＰＡＩＤフィールドは、送信機非ＡＰ  ＳＴＡ（transmitter non-AP STA）のＰＡＩＤに設定されるものとする。ＤＩフィールドが０に設定される場合には、ＮＤＰページングフレーム内のＡＰＤＩフィールドは、次のように設定されるものとする。  
・  ＰＴＳＦフィールドは、ＴＳＦ［たとえばＰＴＳＦＯ＋４：ＰＴＳＦＯ＋９］に設定され、ここで、ＴＳＦは、ＴＳＦの８バイト値であり、ＰＴＳＦＯは、ＴＷＴ要求内のＰＴＳＦＯフィールドの値である。  
・  チェックビーコンフィールドは、０に初期化され、ビーコンフレームに対する重要な更新が生じたときに増分される。ブロードキャストＴＩＭが使用され、ＮＤＰ制御フレームの送信からＴＩＭブロードキャストフレームの送信の間の時間にビーコンフレームに対する重要な更新が生じなかった場合には、ページング要求フレーム内のチェックビーコンフィールドの値は、ＴＩＭブロードキャストフレーム内のチェックビーコンフィールドのＬＳＢと同じであるものとする。  
・  Ｍｏｒｅ  ＮＤＰは、ＳＩＦＳ時間の後に続く１つのＮＤＰページングフレームがある場合に、設定される。
【０１３５】
[0153]いくつかの実施態様では、ＴＷＴ  ＩＥは、示唆されたＴＷＴ以外の、それを受信する局のための追加の命令を含み得る。１実施態様では、ＴＷＴの持続時間の間の局およびＡＰの挙動が、以下に述べる少なくとも４つの代替選択肢のうちの１つに従って定義され得る。第１の選択肢では、要求を送り、応答を受信する局は、フレームタイプＮＤＰページング以外のＴＷＴ  ＩＥ応答内の最小アウェイク時間フィールドによって示される時間の間、それに送られる任意のフレームを無視し得る。第２の選択肢では、ＡＰは、ＴＷＴ持続時間中にＮＤＰページングＳＴＡのための第１のフレームとしてＮＤＰページングを送るものとする。ＳＴＡは、ＮＤＰページングによって特に指示されない限り、ＮＤＰページングフレームを受信した直後にスリープ状態になる（goes to sleep）。第３の選択肢では、ＳＴＡは、ＴＷＴ中にＮＤＰページング以外のいかなるフレームも復号することは許可されない。ＳＴＡは、ＮＤＰ中のコマンドによって特に命令されない限り、ＴＷＴ中に任意のパケットを送ることも許可されない。第４の選択肢では、ＡＰは、ＴＷＴの持続時間の間、ＮＤＰページングフレーム以外のいかなるフレームもＳＴＡに送ってはならない。
【０１３６】
[0154]１実施態様では、ＮＤＰページングフレームによってページングされている、要求を送り、応答を受信する局は、ＮＤＰページングフレームの終了時から、ＳＩＦＳを単位とするＴＷＴ  ＩＥ内のＰＲＧフィールドによって示される持続時間の間、それに送られる任意のフレームを無視し得る。
【０１３７】
[0155]１実施態様では、要求を送り、応答を受信するＳＴＡは、Ｍｏｒｅ  ＮＤＰビットが１に設定される場合には、次のＮＤＰページングフレームを受信するために最小アウェイク持続時間を延長するものとする。要求を送り、応答を受信するＳＴＡは、以前に受信されたものと異なるチェックビーコンビット値を有する任意のＮＤＰページングを受信する場合には、次のターゲット・ビーコン・トランジット時間（target beacon transit time）（ＴＢＴＴ）でビーコンまたはショートビーコンフレームを受信するものとする。
【０１３８】
[0156]１実施態様では、ページングされた局がページャ局（a pager station）との時刻同期（time sync）に関心がある場合には、ページャ局は、ＤＩビットを０に設定し、ＰＴＳＦフィールドを正しい値に設定しなければならない。ページングされた局が様々なページャ局によってページングされ得る場合には、そのページャは、それのＰＡＩＤをＰＡＩＤフィールドに置くことによって、それの識別を示すために、ＤＩビットを１に設定しなければならない。
【０１３９】
[0157]１実施態様では、ＴＷＴスリープ識別子１６２６（図１４Ｃ参照）がＴＷＴ要求／応答交換内に設定された場合には、このビットを設定したＳＴＡは、それが別のＴＷＴまたはＲＡＷを介して明示的に決定しない限り、ＴＷＴの調節されたスリープ期間外で（outside the TWT adjusted sleep period）スリープ状態になり得る。
【０１４０】
[0158]１実施態様では、ＡＰは、ａ）ＳＴＡのバッファユニットがある、ｂ）ビーコンに重要な変更がある、またはｃ）前の（previous）ＮＤＰページングフレームからの最大時間が経過した（時間同期のため、また待ち時間要件の保証のため）、場合には、合意されたＮＤＰ  ＴＷＴ期間中に、ＮＤＰページングフレームを第１のフレームとしてＳＴＡに送る。最大時間は、たとえば、ＴＷＴ期間と等しくなり得る。それ以外の場合には、ＡＰは、いかなるフレームもＳＴＡに送らないものとする。
【０１４１】
[0159]１実施態様では、ＳＴＡは、合意されたＮＤＰ  ＴＷＴ期間に、ＡＰからのＮＤＰページングフレームのための媒体をリッスンする。ＮＤＰページングフレームを受信した後で、ＳＴＡは、スリープになり（go to sleep）、アクションを実行するためにその後ウェイクアップし得る。このようなアクションは、ａ）ＰＳ−Ｐｏｌｌ／トリガフレームを送ることと、ｂ）Ｔ（時間単位）の後でウェイクアップすることと、ｃ）ビーコンを受信することとを含み得る。
【０１４２】
[0160]本明細書で使用される「決定する」という用語は、幅広い様々なアクションを包含する。たとえば、「決定する」は、計算する、演算する、処理する、導出する、調査する、参照する（たとえば表、データベース、または別のデータ構造を参照する）、および確認するなどを含み得る。また、「決定する」は、受信する（たとえば情報を受信する）、およびアクセスする（たとえばメモリ中のデータにアクセスする）なども含み得る。また、「決定する」は、解決する、選択する、選ぶ、および推定するなども含み得る。さらに、本明細書で使用される「チャネル幅」は、特定の態様では帯域幅を包含し得、または帯域幅とも呼ばれ得る。
【０１４３】
[0161]本明細書で使用される、項目のリスト「のうちの少なくとも１つ」に言及する文句は、１つ１つのメンバも含めて、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものと意図されている。
【０１４４】
[0162]上記に説明された方法の様々な動作は、様々なハードウェアおよび／またはソフトウェア構成要素、回路、ならびに／あるいはモジュールなど、それらの動作を実行することができる任意の適当な手段によって実行され得る。一般に、図面に示される任意の動作は、それらの動作を実行することができる対応する機能手段によって実行され得る。
【０１４５】
[0163]本開示に関連して説明された様々な例示的な論理ブロック、モジュール、および回路は、本明細書に記載される機能を実行するように設計された、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、離散ゲートまたはトランジスタ論理、離散ハードウェア構成要素、あるいはそれらの任意の組合せによって実装または実行され得る。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せとして、たとえばＤＳＰとマイクロプロセッサの組合せ、複数のマイクロプロセッサ、ＤＳＰコアと関連付けられた１つまたは複数のマイクロプロセッサ、あるいは任意の他のそのような構成として、実装され得る。
【０１４６】
[0164]１つまたは複数の態様では、記載された機能は、ハードウェア、ソフトウェア、ファームウェア、またはそれらの任意の組合せで実施され得る。ソフトウェアで実施される場合には、それらの機能は、１つまたは複数の命令またはコードとして、コンピュータ可読媒体上に記憶され、またはコンピュータ可読媒体を介して送信され得る。コンピュータ可読媒体は、１つの場所から別の場所へのコンピュータプログラムの伝達を容易にする任意の媒体を含む通信媒体、およびコンピュータ記憶媒体の両方を含む。記憶媒体は、コンピュータによってアクセスされ得る任意の入手可能な媒体であり得る。例として、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは命令またはデータ構造の形態の所望のプログラムコードを搬送または記憶するために使用され得る、コンピュータによってアクセスされ得る任意の他の媒体を含み得るが、これらに限定されるわけではない。また、任意の接続も、適宜コンピュータ可読媒体と呼ばれる。たとえば、ウェブサイト、サーバ、または他の遠隔ソースから、同軸ケーブル、光ファイバケーブル、ツイストペア、デジタル加入者回線（ＤＳＬ）、または赤外線、無線、およびマイクロ波などのワイヤレス技術を用いてソフトウェアが送信される場合には、それらの同軸ケーブル、光ファイバケーブル、ツイストペア、ＤＳＬ、または赤外線、無線、およびマイクロ波などのワイヤレス技術も、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル汎用ディスク（disc）（ＤＶＤ）、フロッピー（登録商標）ディスク（disk）、およびｂｌｕ−ｒａｙディスク（disc）を含み、ここで、ディスク（disk）は、通常、磁気的にデータを再現するものであり、ディスク（disc）は、レーザを用いて光学的にデータを再現するものである。したがって、いくつかの態様では、コンピュータ可読媒体は、非一時的コンピュータ可読媒体（たとえば有形媒体）を含み得る。さらに、いくつかの態様では、コンピュータ可読媒体は、一時的コンピュータ可読媒体（たとえば信号）を含み得る。上記のものの組合せも、コンピュータ可読媒体の範囲内に含まれるものとする。
【０１４７】
[0165]本明細書に開示された方法は、記載される方法を達成するための１つまたは複数のステップまたはアクションを備える。方法のステップおよび／またはアクションは、特許請求の範囲を逸脱することなく、互いに入れ替えられ得る。言い換えれば、特定のステップまたはアクションの順序が指定されない限り、特定のステップおよび／またはアクションの順序および／または使用は、特許請求の範囲を逸脱することなく、修正され得る。
【０１４８】
[0166]記載された機能は、ハードウェア、ソフトウェア、ファームウェア、またはそれらの任意の組合せで実施され得る。ソフトウェアで実施される場合には、それらの機能は、１つまたは複数の命令として、コンピュータ可読媒体上に記憶され得る。記憶媒体は、コンピュータによってアクセスされ得る任意の入手可能な媒体であり得る。例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは命令またはデータ構造の形態の所望のプログラムコードを搬送または記憶するために使用され得る、コンピュータによってアクセスされ得る任意の他の媒体を含み得るが、これらに限定されるわけではない。本明細書で使用されるディスクおよびディスクは、コンパクトディスク（ＣＤ）、レーザーディスク、光ディスク、デジタル汎用ディスク（ＤＶＤ）、フロッピーディスク、およびＢｌｕ−ｒａｙ（登録商標）ディスクを含み、ここで、ディスクは、通常、磁気的にデータを再現するものであり、ディスクは、レーザを用いて光学的にデータを再現するものである。
【０１４９】
[0167]したがって、特定の態様は、本明細書に提示された動作を実行するためのコンピュータプログラム製品を備え得る。たとえば、そのようなコンピュータプログラム製品は、命令が記憶（および／または符号化）され、それらの命令が本明細書に記載された動作を実行するために１つまたは複数のプロセッサによって実行可能である、コンピュータ可読媒体を備え得る。特定の態様では、コンピュータプログラム製品は、パッケージング材料を含み得る。
【０１５０】
[0168]ソフトウェアまたは命令は、送信媒体上でも送信され得る。たとえば、ウェブサイト、サーバ、または他の遠隔ソースから、同軸ケーブル、光ファイバケーブル、ツイストペア、デジタル加入者回線（ＤＳＬ）、または赤外線、無線、およびマイクロ波などのワイヤレス技術を用いてソフトウェアが送信される場合には、それらの同軸ケーブル、光ファイバケーブル、ツイストペア、ＤＳＬ、または赤外線、無線、およびマイクロ波などのワイヤレス技術も、送信媒体の定義に含まれる。
【０１５１】
[0169]さらに、本明細書に記載された方法および技法を実行するためのモジュールおよび／または他の適当な手段は、適用可能であれば、ユーザ端末および／または基地局によってダウンロードおよび／または他の方法で取得され得ることを理解されたい。たとえば、そのようなデバイスは、本明細書に記載された方法を実行するための手段の伝達を容易にするためにサーバに結合され得る。別法として、本明細書に記載された様々な方法は、記憶手段（たとえばＲＡＭ、ＲＯＭ、コンパクトディスク（ＣＤ）またはフロッピーディスクなどの物理記憶媒体など）を介して提供され得、その記憶手段をデバイスに結合または提供したときに、ユーザ端末および／または基地局が、それらの様々な方法を取得することができるようにされ得る。さらに、本明細書に記載された方法および技法をデバイスに提供する任意の他の適当な技術が利用され得る。
【０１５２】
[0170]特許請求の範囲は、上記に例示された詳細な構成および構成要素に限定されないことを理解されたい。特許請求の範囲を逸脱することなく、上記で説明された配列と、動作と、方法および装置の詳細とに対して、様々な修正、変更および変形が行われ得る。
【０１５３】
[0171]上記の説明は、本開示の態様を対象としたものであるが、本開示の基本的な範囲を逸脱することなく、本開示の他の態様およびさらに別の態様も考案され得、本開示の範囲は、以下の特許請求の範囲によって決定される。
以下に、本願の出願当初の特許請求の範囲に記載された発明を付記する。
［Ｃ１］
ワイヤレス通信のための装置であって、
前記装置がウェイクアップする時間、およびワイヤレス通信デバイスからページングフレームを受信することに応答してアクションを実行するための命令を備えるメッセージをワイヤレスに受信し、前記ワイヤレス通信デバイスから前記ページングフレームを受信するように構成された受信機と、
前記ページングフレームを受信することに応答して前記アクションを実行するように構成されたプロセッサとを備える、装置。
［Ｃ２］
前記ページングフレームを受信することが、前記ページングフレームのアドレスを前記装置のアドレスと比較することを備える、Ｃ１に記載の装置。
［Ｃ３］
前記ページングフレームは、前記ワイヤレス通信デバイスがアクセスポイントであるかどうかを示す値を有する方向フィールドを備える、Ｃ１に記載の装置。
［Ｃ４］
前記ページングフレームが、タイミング情報を記憶するように選択的に構成可能である、Ｃ１に記載の装置。
［Ｃ５］
前記ページングフレームが、ヌルデータパケットを備える、Ｃ１に記載の装置。
［Ｃ６］
前記メッセージが、ターゲット・ウェイクアップ時間情報要素を備える、Ｃ１に記載の装置。
［Ｃ７］
前記装置がウェイクアップする前記時間は、前記ページングフレームが送信され得る時間を示す、Ｃ１に記載の装置。
［Ｃ８］
前記アクションが、
電力節約ポールフレームを送ることと、
パケット受信を待機することと、
ビーコンを受信することと、
配信トラフィック指示メッセージビーコンを受信することと
のうちの１つまたは複数を含む、Ｃ１に記載の装置。
［Ｃ９］
前記メッセージは、前記装置がアウェイクすることになる時間期間を示し、前記ページングフレームは、前記装置が前記示された時間期間内に前記ワイヤレス通信デバイスから受信する最初のフレームである、Ｃ１に記載の装置。
［Ｃ１０］
前記メッセージは、前記装置がアウェイクすることになる時間期間を示し、前記装置は、前記示された時間期間内に前記ワイヤレス通信デバイスから前記ページングフレーム以外のいかなるフレームも受信しない、Ｃ１に記載の装置。
［Ｃ１１］
前記ページングフレームを受信した後で、スリープになり、前記アクションを実行するためにその後ウェイクアップするようにさらに構成される、Ｃ１に記載の装置。
［Ｃ１２］
ワイヤレス通信のための方法であって、
装置がウェイクアップする時間、およびワイヤレス通信デバイスからページングフレームを受信することに応答してアクションを実行するための命令を備えるメッセージをワイヤレスに受信することと、
前記ワイヤレス通信デバイスから前記ページングフレームを受信することと、
前記ページングフレームを受信することに応答して前記アクションを実行することとを備える、方法。
［Ｃ１３］
前記ページングフレームを受信することが、前記ページングフレームのアドレスを前記装置のアドレスと比較することを備える、Ｃ１２に記載の方法。
［Ｃ１４］
前記ページングフレームは、前記ワイヤレス通信デバイスがアクセスポイントであるかどうかを示す値を有する方向フィールドを備える、Ｃ１２に記載の方法。
［Ｃ１５］
前記ページングフレームが、タイミング情報を記憶するように選択的に構成可能である、Ｃ１２に記載の方法。
［Ｃ１６］
前記ページングフレームが、ヌルデータパケットを備える、Ｃ１２に記載の方法。
［Ｃ１７］
前記メッセージが、ターゲット・ウェイクアップ時間情報要素を備える、Ｃ１２に記載の方法。
［Ｃ１８］
前記装置がウェイクアップする前記時間は、前記ページングフレームが送信され得る時間を示す、Ｃ１２に記載の方法。
［Ｃ１９］
前記アクションが、
電力節約ポールフレームを送ることと、
パケット受信を待機することと、
ビーコンを受信することと、
配信トラフィック指示メッセージビーコンを受信することと
のうちの１つまたは複数を含む、Ｃ１２に記載の方法。
［Ｃ２０］
前記メッセージは、前記装置がアウェイクすることになる時間期間を示し、前記ページングフレームは、前記装置が前記示された時間期間内に前記ワイヤレス通信デバイスから受信する最初のフレームである、Ｃ１２に記載の方法。
［Ｃ２１］
前記メッセージは、前記装置がアウェイクすることになる時間期間を示し、前記装置は、前記示された時間期間内に前記ワイヤレス通信デバイスから前記ページングフレーム以外のいかなるフレームも受信しない、Ｃ１２に記載の方法。
［Ｃ２２］
前記ページングフレームを受信した後で、スリープになり、前記アクションを実行するためにその後ウェイクアップするようにさらに構成される、Ｃ１２に記載の方法。
［Ｃ２３］
ワイヤレス通信のための装置であって、
前記装置がウェイクアップする時間、およびワイヤレス通信デバイスからページングフレームを受信することに応答してアクションを実行するための命令を備えるメッセージをワイヤレスに受信するための手段と、
前記ワイヤレス通信デバイスから前記ページングフレームを受信するための手段と、
前記ページングフレームを受信することに応答して前記アクションを実行するための手段とを備える、装置。
［Ｃ２４］
前記ページングフレームを後に受信する前記手段が、前記ページングフレームのアドレスを前記装置のアドレスと比較するようにさらに構成される、Ｃ２３に記載の装置。
［Ｃ２５］
前記ページングフレームが、前記ワイヤレス通信デバイスがアクセスポイントであるかどうかを示す値を有する方向フィールドを備える、Ｃ２３に記載の装置。
［Ｃ２６］
前記ページングフレームが、タイミング情報を記憶するように選択的に構成可能である、Ｃ２３に記載の装置。
［Ｃ２７］
前記ページングフレームが、ヌルデータパケットを備える、Ｃ２３に記載の装置。
［Ｃ２８］
前記メッセージが、ターゲット・ウェイクアップ時間情報要素を備える、Ｃ２３に記載の装置。
［Ｃ２９］
前記装置がウェイクアップする前記時間が、前記ページングフレームが送信され得る時間を示す、Ｃ２３に記載の装置。
［Ｃ３０］
前記アクションが、
電力節約ポールフレームを送ることと、
パケット受信を待機することと、
ビーコンを受信することと、
配信トラフィック指示メッセージビーコンを受信することと
のうちの１つまたは複数を含む、Ｃ２３に記載の装置。
【図１】
0006505766.tif 000003
【図２】
0006505766.tif 000004
【図３】
0006505766.tif 000005
【図４】
0006505766.tif 000006
【図５Ａ】
0006505766.tif 000007
【図５Ｂ】
0006505766.tif 000008
【図６Ａ】
0006505766.tif 000009
【図６Ｂ】
0006505766.tif 000010
【図６Ｃ】
0006505766.tif 000011
【図６Ｄ】
0006505766.tif 000012
【図７Ａ】
0006505766.tif 000013
【図７Ｂ】
0006505766.tif 000014
【図８】
0006505766.tif 000015
【図９】
0006505766.tif 000016
【図１０】
0006505766.tif 000017
【図１１】
0006505766.tif 000018
【図１２】
0006505766.tif 000019
【図１３Ａ】
0006505766.tif 000020
【図１３Ｂ】
0006505766.tif 000021
【図１４Ａ】
0006505766.tif 000022
【図１４Ｂ】
0006505766.tif 000023
【図１４Ｃ】
0006505766.tif 000024
【図１４Ｄ】
0006505766.tif 000025